(57)【特許請求の範囲】
【請求項１】
無線通信システムにおいて送信装置がデータユニットを送信する方法において、
前記送信装置のプロトコルスタックの無線リンク制御(ｒａｄｉｏ ｌｉｎｋ ｃｏｎｔｒｏｌ、ＲＬＣ)エンティティーが、前記送信装置の前記プロトコルスタックの上位階層から第１ＲＬＣサービスデータユニット(ｓｅｒｖｉｃｅ ｄａｔａ ｕｎｉｔ、ＳＤＵ)を受信し、  
前記上位階層が前記ＲＬＣエンティティーは前記第１ＲＬＣ  ＳＤＵを廃棄すべきことを示すことに基づいて、前記ＲＬＣエンティティーが、前記第１ＲＬＣ ＳＤＵ或いは前記第１ＲＬＣ ＳＤＵの少なくとも１つのセグメントが前記送信装置の前記プロトコルスタックのメディアクセス制御（ｍｅｄｉｕｍ  ａｃｃｅｓｓ  ｃｏｎｔｒｏｌ：ＭＡＣ）階層に提出されたＲＬＣプロトコルデータユニット（ＰＤＵ）に含まれるか否かを判断し、
前記第１ＲＬＣ ＳＤＵも前記第１ＲＬＣ ＳＤＵのどのセグメントも前記ＭＡＣ階層に提出されたＲＬＣ  ＰＤＵに含まれないという判断に基づいて、前記ＲＬＣエンティティーは、前記第１ＲＬＣ ＳＤＵを廃棄することを含み、
ＲＬＣ  ＳＤＵに関連したＲＬＣシーケンスナンバー（ＳＮ）にギャップを導入しないように前記ＲＬＣエンティティーで前記第１ＲＬＣ  ＳＤＵを廃棄することが実行される、データユニット送信方法。
【請求項２】
前記第１ＲＬＣ ＳＤＵ又は前記第１ＲＬＣ ＳＤＵの少なくとも１つのセグメントが、前記ＭＡＣ階層に提出されたＲＬＣ  ＰＤＵに含まれるという判断に基づいて、前記第１ＲＬＣ ＳＤＵを廃棄しないことをさらに含む、請求項１に記載のデータユニット送信方法。
【請求項３】
前記第１ＲＬＣ ＳＤＵを破棄しないことは、
前記第１ＲＬＣ ＳＤＵの少なくとも１つのセグメントが前記ＭＡＣ階層に提出されたＲＬＣ  ＰＤＵに含まれるという判断に基づいて、
前記ＲＬＣエンティティーに残っている前記第１ＲＬＣ ＳＤＵの残りのセグメントを判断し、
前記第１ＲＬＣ ＳＤＵの前記残りのセグメントを含む他のＲＬＣ  ＰＤＵを前記ＭＡＣ階層に提出することを含む、請求項２に記載のデータユニット送信方法。
【請求項４】
前記第１ＲＬＣ ＳＤＵ又は前記第１ＲＬＣ ＳＤＵの少なくとも１つのセグメントが、前記ＭＡＣ階層に提出された前記ＲＬＣ  ＰＤＵに含まれるとの判断に基づいて、
前記送信装置のトランシーバを使用して、前記第１ＲＬＣ ＳＤＵ又は前記第１ＲＬＣ ＳＤＵの少なくとも１つのセグメントを含む前記ＲＬＣ  ＰＤＵを含むデータユニットを送信することをさらに含む、請求項２又は３に記載のデータユニット送信方法。
【請求項５】
前記ＲＬＣエンティティーにおいて、前記第１ＲＬＣ ＳＤＵを廃棄することに基づいて、
前記ＲＬＣエンティティーで廃棄された前記第１ＲＬＣ ＳＤＵを含む、複数の廃棄されたＲＬＣ ＳＤＵを判断し、
前記ＲＬＣエンティティーに残っている複数の残りのＲＬＣ ＳＤＵを判断し、
前記複数の廃棄されたＲＬＣ ＳＤＵに連関する複数の第１ＲＬＣシーケンス番号(ｓｅｑｕｅｎｃｅ ｎｕｍｂｅｒ、ＳＮ)を判断し、
前記複数の残りのＲＬＣ ＳＤＵに連関する複数の第２ＲＬＣ ＳＮを判断し、
前記複数の残りのＲＬＣ ＳＤＵを、前記複数の破棄されたＲＬＣ ＳＤＵに連関した前記複数の第１ＲＬＣ ＳＮのうち、最低のＲＬＣ ＳＮから始まって、複数の第３ＲＬＣ ＳＮに連続して再連関(ｒｅ−ａｓｓｏｃｉａｔｅ)させることをさらに含む、請求項１から４のいずれか一項に記載のデータユニット送信方法。
【請求項６】
前記複数の第３ＲＬＣ  ＳＮと再関連された前記複数の残りのＲＬＣ  ＳＤＵを前記ＭＡＣ階層へ送信することをさらに含む、請求項５に記載のデータユニット送信方法。
【請求項７】
前記ＲＬＣエンティティーが前記第１ＲＬＣ  ＳＤＵを廃棄すべきことを示す前記上位階層は、
タイマーの終了に基づいて前記上位階層で前記第１ＲＬＣ  ＳＤＵに対して廃棄指示を生成することと、
前記プロトコルスタックの前記ＲＬＣエンティティーに前記上位階層から前記廃棄指示を送信することをさらに含む、請求項１から６のいずれか一項に記載のデータユニット送信方法。
【請求項８】
前記プロトコルスタックの上位階層は、前記送信装置の前記プロトコルスタックのパケットデータコンバージェンスプロトコール（ＰＤＣＰ）階層を含む、請求項１から７のいずれか一項に記載のデータユニット送信方法。
【請求項９】
前記送信装置はＲＬＣ  ＳＤＵを格納するＲＬＣバッファを提供するように構成された少なくとも一つのコンピューターメモリをさらに含み、
前記第１ＲＬＣ  ＳＤＵを前記ＲＬＣエンティティーで廃棄することは、
前記少なくとも一つのコンピューターメモリが前記ＲＬＣバッファから前記第１ＲＬＣ  ＳＤＵを廃棄するように制御することを含む、請求項１から８のいずれか一項に記載のデータユニット送信方法。
【請求項１０】
無線通信システムにおいてデータユニットを送信する送信装置において、
トランシーバと、
少なくとも１つのプロセッサと、
前記少なくとも１つのプロセッサに動作可能に連結可能で、実行された時、前記少なくとも１つのプロセッサをして動作を行うようにする指示が格納された、少なくとも１つのコンピューターメモリを含み、前記動作は、
前記送信装置のプロトコルスタックの無線リンク制御(ｒａｄｉｏ ｌｉｎｋ ｃｏｎｔｒｏｌ、ＲＬＣ)エンティティーが前記送信装置の前記プロトコルスタックの上位階層から第１ＲＬＣサービスデータユニット(ｓｅｒｖｉｃｅ ｄａｔａ ｕｎｉｔ、ＳＤＵ)を受信し、  
前記上位階層が前記ＲＬＣエンティティーは前記第１ＲＬＣ  ＳＤＵを廃棄すべきことを示すことに基づいて、前記ＲＬＣエンティティーは、前記第１ＲＬＣ ＳＤＵ或いは前記第１ＲＬＣ ＳＤＵの少なくとも１つのセグメントが前記送信装置の前記プロトコルスタックのメディアクセス制御（ｍｅｄｉｕｍ  ａｃｃｅｓｓ  ｃｏｎｔｒｏｌ：ＭＡＣ）階層に提出されたＲＬＣプロトコルデータユニット（ＰＤＵ）に含まれるか否かを決定し、
前記第１ＲＬＣ ＳＤＵも前記第１ＲＬＣ ＳＤＵのどのセグメントも前記ＭＡＣ階層に提出されたＲＬＣ  ＰＤＵに含まれないという判断に基づいて、前記ＲＬＣエンティティーが前記第１ＲＬＣ ＳＤＵを廃棄することを含み、
ＲＬＣ  ＳＤＵに関連したＲＬＣシーケンスナンバー（ＳＮ）にギャップを導入しないように前記ＲＬＣエンティティーで前記第１ＲＬＣ  ＳＤＵを廃棄することが実行される、データユニット送信装置。
【請求項１１】
前記動作は、
前記第１ＲＬＣ ＳＤＵ又は前記第１ＲＬＣ ＳＤＵの少なくとも１つのセグメントが前記ＭＡＣ階層に提出されたＲＬＣ  ＰＤＵに含まれるという判断に基づいて、前記第１ＲＬＣ ＳＤＵを廃棄しないことをさらに含む、請求項１０に記載のデータユニット送信装置。
【請求項１２】
前記第１ＲＬＣ ＳＤＵを破棄しないことは、
前記第１ＲＬＣ ＳＤＵの少なくとも１つのセグメントが前記ＭＡＣ階層に提出されたＲＬＣ  ＰＤＵに含まれるという判断に基づいて、
前記ＲＬＣエンティティーに残る前記第１ＲＬＣ ＳＤＵの残りのセグメントを判断し、
前記第１ＲＬＣ ＳＤＵの前記残りのセグメントを含む他のＲＬＣ  ＰＤＵをＭＡＣ階層に提出することを含む、請求項１１に記載のデータユニット送信装置。
【請求項１３】
前記動作は、
前記第１ＲＬＣ ＳＤＵ又は前記第１ＲＬＣ ＳＤＵの少なくとも１つのセグメントが前記ＭＡＣ階層に提出された前記ＲＬＣ  ＰＤＵに含まれるという判断に基づいて、
前記第１ＲＬＣ ＳＤＵ又は前記第１ＲＬＣ ＳＤＵの少なくとも１つのセグメントを含む前記第１ＲＬＣ ＰＤＵを含むデータユニットを送信するように前記トランシーバを制御することをさらに含む、請求項１１又は１２に記載のデータユニット送信装置。
【請求項１４】
前記動作は、
前記ＲＬＣエンティティーにおいて、前記第１ＲＬＣ ＳＤＵを廃棄することに基づいて、
前記ＲＬＣエンティティーで廃棄された前記第１ＲＬＣ ＳＤＵを含む、複数の廃棄されたＲＬＣ ＳＤＵを判断し、
前記ＲＬＣエンティティーに残っている複数の残りのＲＬＣ ＳＤＵを判断し、
前記複数の廃棄されたＲＬＣ ＳＤＵに連関する複数の第１ＲＬＣシーケンス番号(ｓｅｑｕｅｎｃｅ ｎｕｍｂｅｒ、ＳＮ)を判断し、
前記複数の残りのＲＬＣ ＳＤＵに連関する複数の第２ＲＬＣ ＳＮを判断し、
前記複数の残りのＲＬＣ  ＳＤＵを前記複数の破棄されたＲＬＣ ＳＤＵに連関した前記複数の第１ＲＬＣ ＳＮのうち、最低のＲＬＣ ＳＮから始まって、複数の第３ＲＬＣ  ＳＮに連続して再連関(ｒｅ−ａｓｓｏｃｉａｔｅ)させることをさらに含む、請求項１０から１３のいずれか一項に記載のデータユニット送信装置。
【請求項１５】
前記複数の第３ＲＬＣ  ＳＮと再関連された前記複数の残りのＲＬＣ  ＳＤＵを前記ＭＡＣ階層へ送信することをさらに含む、請求項１４に記載のデータユニット送信装置。
【請求項１６】
前記ＲＬＣエンティティーが前記第１ＲＬＣ  ＳＤＵを廃棄すべきことを示す前記上位階層は、
タイマーの終了に基づいて前記上位階層で前記第１ＲＬＣ  ＳＤＵに対して廃棄指示を生成することと、
前記プロトコルスタックの前記ＲＬＣエンティティーに前記上位階層から前記廃棄指示を送信することをさらに含む、請求項１０から１５のいずれか一項に記載のデータユニット送信装置。
【請求項１７】
前記プロトコルスタックの上位階層は、前記送信装置の前記プロトコルスタックのパケットデータコンバージェンスプロトコール（ＰＤＣＰ）階層を含む、請求項１０から１６のいずれか一項に記載のデータユニット送信装置。
【請求項１８】
前記少なくとも一つのコンピューターメモリはＲＬＣ  ＳＤＵを格納するＲＬＣバッファを提供するようにさらに構成され、
前記第１ＲＬＣ  ＳＤＵを前記ＲＬＣエンティティーで廃棄することは、
前記少なくとも一つのコンピューターメモリが前記ＲＬＣバッファから前記第１ＲＬＣ  ＳＤＵを廃棄するように制御することを含む、請求項１０から１７のいずれか一項に記載のデータユニット送信装置。
【発明の詳細な説明】
【技術分野】
【０００１】
本発明は無線通信システムに関し、特に、データユニットを受信する方法及び装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、“ＬＴＥ”という)通信システムについて概略的に説明する。
【０００３】
図１は無線通信システムの一例であって、Ｅ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進化したシステムであって、現在、３ＧＰＰで基礎的な標準化作業を進めている。一般に、Ｅ−ＵＭＴＳは、ＬＴＥ(Ｌｏｎｇ Ｔｅｒｍ Ｅｖｏｌｕｔｉｏｎ)システムと称することもできる。ＵＭＴＳ及びＥ−ＵＭＴＳの技術規格(ｔｅｃｈｎｉｃａｌ ｓｐｅｃｉｆｉｃａｔｉｏｎ)の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ−ＵＭＴＳは、端末(Ｕｓｅｒ Ｅｑｕｉｐｍｅｎｔ；ＵＥ)、基地局(ｅＮｏｄｅ Ｂ；ｅＮＢ)、及びネットワーク(Ｅ−ＵＴＲＡＮ)の終端に位置し、外部ネットワークと接続される接続ゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、複数の端末に対するデータ送受信を制御する。下りリンク(Ｄｏｗｎｌｉｎｋ；ＤＬ)データに対して、基地局は、下りリンクスケジューリング情報を送信し、該当の端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網(Ｃｏｒｅ Ｎｅｔｗｏｒｋ；ＣＮ)は、ＡＧ及び端末のユーザ登録などのためのネットワークノードなどで構成することができる。ＡＧは、複数のセルで構成されるＴＡ(Ｔｒａｃｋｉｎｇ Ａｒｅａ)単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競合力を有するためには新たな技術進化が要求され、ビット当たりの費用減少、サービス可用性増大、融通性のある周波数バンドの使用、単純構造と開放型インターフェース、端末の適切なパワー消耗などが要求される。
【０００７】
より多くの通信装置がより大きい通信容量を要求することにより、レガシー無線アクセス技術(ｒａｄｉｏ ａｃｃｅｓｓ ｔｅｃｈｎｏｌｏｇｙ；ＲＡＴ)に比べて向上したモバイル広帯域通信に対する必要性が台頭しつつある。また、複数の装置と客体(ｏｂｊｅｃｔ)とを相互接続していつどこでも様々なサービスを提供するための大規模機械タイプ通信(ｍａｓｓｉｖｅ ｍａｃｈｉｎｅ ｔｙｐｅ ｃｏｍｍｕｎｉｃａｔｉｏｎ；ｍＭＴＣ)は、次世代通信において考慮すべき主要争点の一つである。また、信頼度及び待機時間に敏感なサービス／ＵＥを考慮して設計される通信システムに関する議論が進行中である。次世代(ｎｅｘｔ ｇｅｎｅｒａｔｉｏｎ)無線アクセス技術の導入は、向上したモバイル広帯域通信(ｅＭＢＢ)、ｍＭＴＣ、超高信頼性及び低待機時間通信(ｕｌｔｒａ−ｒｅｌｉａｂｌｅ ａｎｄ ｌｏｗ ｌａｔｅｎｃｙ ｃｏｍｍｕｎｉｃａｔｉｏｎ；ＵＲＬＬＣ)などを考慮して論議されている。
【発明の概要】
【発明が解決しようとする課題】
【０００８】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に効率的に受信／送信するための新しい方案が要求される。
【０００９】
なお、技術の発達に伴ってディレイ(ｄｅｌａｙ)或いは遅延(ｌａｔｅｎｃｙ)の克服が重要な課題として台頭しつつある。性能がディレイ／遅延によって大きく左右されるアプリケーションが増加していることから、既存システムに比べてディレイ／遅延を減らすための方案が要求されている。
【００１０】
また、新しい無線接続技術を支援するシステムで効率的に信号を送信／受信する方法が要求される。
【００１１】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【００１２】
本発明の一様相として、無線通信システムにおいて送信装置がデータユニットを送信する方法が提供される。方法は、無線リンク制御(ｒａｄｉｏ ｌｉｎｋ ｃｏｎｔｒｏｌ、ＲＬＣ)エンティティーが上位階層から第１ＲＬＣサービスデータユニット(ｓｅｒｖｉｃｅ ｄａｔａ ｕｎｉｔ、ＳＤＵ)を受信し、ＲＬＣエンティティーが上位階層から第１ＲＬＣ ＳＤＵを廃棄(ｄｉｓｃａｒｄ)するという廃棄指示を受信し、ＲＬＣエンティティーが第１ＲＬＣ ＳＤＵが下位階層に提出されたか否かを確認し、第１ＲＬＣ ＳＤＵも第１ＲＬＣ ＳＤＵのセグメントも下位階層に提出されていないと、ＲＬＣエンティティーは第１ＲＬＣ ＳＤＵを廃棄することを含む。
【００１３】
無線通信システムにおいて、データユニットを送信する送信装置が提供される。送信装置は、トランシーバと、トランシーバを制御するように構成されたプロセッサを含む。プロセッサは、無線リンク制御(ｒａｄｉｏ ｌｉｎｋ ｃｏｎｔｒｏｌ、ＲＬＣ)エンティティーが上位階層から第１ＲＬＣサービスデータユニット(ｓｅｒｖｉｃｅ ｄａｔａ ｕｎｉｔ、ＳＤＵ)を受信し、ＲＬＣエンティティーが上位階層から第１ＲＬＣ ＳＤＵを廃棄するという廃棄指示を受信し、ＲＬＣエンティティーが第１ＲＬＣ ＳＤＵが下位階層に提出されたか否かを確認し、第１ＲＬＣ ＳＤＵも第１ＲＬＣ ＳＤＵのセグメントも下位階層に提出されていないと、ＲＬＣエンティティーで第１ＲＬＣ ＳＤＵを廃棄するように構成される。
【００１４】
本発明の各様相において、第１ＲＬＣ ＳＤＵも第１ＲＣＬ ＳＤＵのセグメントも下位階層に提出されていないと、第１ＲＬＣ ＳＤＵ又は第１ＲＬＣ ＳＤＵのセグメントがＲＬＣプロトコルデータユニット(ｐｒｏｔｏｃｏｌ ｄａｔａ ｕｎｉｔ、ＰＤＵ)に含まれていても第１ＲＬＣ ＳＤＵを廃棄することができる。
【００１５】
本発明の各様相において、第１ＲＬＣ ＳＤＵ又は第１ＲＬＣ ＳＤＵのセグメントが下位階層に提出された場合は、第１ＲＬＣ ＳＤＵは廃棄されない。
【００１６】
本発明の各様相において、ＲＬＣエンティティーに第１ＲＬＣ ＳＤＵの残ったセグメントがある場合、第１ＲＬＣ ＳＤＵの残ったセグメントは下位階層に提出されることができる。
【００１７】
本発明の各様相において、下位階層は第１ＲＬＣ ＳＤＵ又は第１ＲＬＣ ＳＤＵのセグメントを含む下位階層データユニットを送信する。
【００１８】
本発明の各様相において、残りのＲＬＣ ＳＤＵは、ＲＬＣエンティティーにおいて、廃棄されたＲＬＣ ＳＤＵのＲＬＣシーケンス番号(ｓｅｑｕｅｎｃｅ ｎｕｍｂｅｒ、ＳＮ)のうち、最低のＲＬＣ ＳＮから始まって、ＲＬＣ ＳＮと連続して再連関(ｒｅ−ａｓｓｏｃｉａｔｅ)されることができる。
【００１９】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００２０】
本発明の一実施例によれば、無線通信信号を効率的に送受信することができる。これによって、無線通信システムの全体処理量(ｔｈｒｏｕｇｈｐｕｔ)が向上する。
【００２１】
本発明の一実施例によれば、ＵＥとＢＳの通信過程で発生するディレイ／遅延を低くすることができる。
【００２２】
また、新しい無線接続技術を支援するシステムにおいて信号を効率的に送受信することができる。
【００２３】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００２４】
本発明に関する理解を助けるために詳細な説明の一部として含まれる添付の図面は、本発明に関する実施例を提供し、詳細な説明と共に本発明の技術的思想を説明する。
【００２５】
【図１】無線通信システムの一例であって、Ｅ−ＵＭＴＳネットワーク構造を示す概略図である。
【図２】Ｅ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。
【図３】一般的なＥ−ＵＴＲＡＮ及びＥＰＣの構造を示すブロック図である。
【図４】３ＧＰＰ無線接続ネットワーク規格に基づくユーザ機器(ｕｓｅｒ ｅｑｕｉｐｍｅｎｔ、ＵＥ)とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ、ＣＰ)及びユーザ平面(Ｕｓｅｒ Ｐｌａｎｅ、ＵＰ)構造を示す図である。
【図５】Ｅ−ＵＭＴＳシステムにおいて用いる物理チャネル構造の一例を示す図である。
【図６】ＬＴＥ／ＬＴＥ−Ａシステムにおいて送信装置におけるデータ流れの一例を示す図である。
【図７】ＮＲシステムにおいて送信装置におけるデータ流れの一例を示す図である。
【図８】送信ＲＬＣエンティティーがＰＤＣＰから廃棄指示を受信すると、送信側で発生する動作の一例を示す図である。
【図９】ＰＤＣＰからの廃棄指示がハンドリングされた後、送信側で発生する動作の一例を示す図である。
【図１０】本発明を実行する送信装置１００及び受信装置２００の構成要素を示すブロック図である。
【発明を実施するための形態】
【００２６】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２７】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００２８】
以下に説明する技法(ｔｅｃｈｎｉｑｕｅ)及び装置、システムは、様々な無線多元接続システムに適用することができる。多元接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システム、ＭＣ−ＦＤＭＡ(ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。ＣＤＭＡは、ＵＴＲＡ(Ｕｎｉｖｅｒｓａｌ Ｔｅｒｒｅｓｔｒｉａｌ Ｒａｄｉｏ ａｃｃｅｓｓ)又はＣＤＭＡ２０００のような無線技術(ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎ)、ＧＰＲＳ(Ｇｅｎｅｒａｌ Ｐａｃｋｅｔ Ｒａｄｉｏ Ｓｅｒｖｉｃｅ)、ＥＤＧＥ(Ｅｎｈａｎｃｅｄ Ｄａｔａ Ｒａｔｅｓ ｆｏｒ ＧＳＭ Ｅｖｏｌｕｔｉｏｎ)(ｉ．ｅ．，ＧＥＲＡＮ)などのような無線技術によって具現することができる。ＯＦＤＭＡは、ＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２．１１(Ｗｉ−Ｆｉ)、ＩＥＥＥ８０２．１６(ＷｉＭＡＸ)、ＩＥＥＥ８０２−２０、Ｅ−ＵＴＲＡ(ｅｖｏｌｖｅｄ−ＵＴＲＡ)などのような無線技術によって具現することができる。ＵＴＲＡは、ＵＭＴＳ(Ｕｎｉｖｅｒｓａｌ Ｍｏｂｉｌｅ Ｔｅｌｅｃｏｍｍｕｎｉｃａｔｉｏｎ Ｓｙｓｔｅｍ)の一部であり、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ Ｔｅｒｍ Ｅｖｏｌｕｔｉｏｎ)は、Ｅ−ＵＴＲＡを用いるＥ−ＵＭＴＳの一部である。３ＧＰＰ ＬＴＥは、下りリンク(ｄｏｗｎｌｉｎｋ、ＤＬ)ではＯＦＤＭＡを採択し、上りリンク(ｕｐｌｉｎｋ、ＵＬ)ではＳＣ−ＦＤＭＡを採択している。ＬＴＥ−Ａ(ＬＴＥ−ａｄｖａｎｃｅｄ)は、３ＧＰＰ ＬＴＥの進化した形態である。説明の便宜のために、以下では、本発明が３ＧＰＰ基盤の通信システムに適用される場合を仮定して説明する。しかし、本発明の技術的特徴がこれに制限されるものではない。例えば、以下の詳細な説明が、移動通信システムが３ＧＰＰ基盤のシステムに対応する移動通信システムに基づいて説明されても、３ＧＰＰ基盤のシステムに特有の事項以外は、他の任意の移動通信システムにも適用可能である。
【００２９】
例えば、本発明は、３ＧＰＰ基盤のシステムのように、ＢＳがＵＥに下りリンク／上りリンク時間／周波数リソースを割り当て、ＵＥがＢＳの割当てによって下りリンク信号を受信し、上りリンク信号を送信する非−競合ベース(ｎｏｎ−ｃｏｎｔｅｎｔｉｏｎ ｂａｓｅｄ)通信だけでなく、Ｗｉ−Ｆｉのような競合ベース(ｃｏｎｔｅｎｔｉｏｎ ｂａｓｅｄ)通信にも適用することができる。非−競合ベース通信技法は、接続ポイント(ａｃｃｅｓｓ ｐｏｉｎｔ、ＡＰ)或いは上記接続ポイントを制御する制御ノード(ｎｏｄｅ)が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続(ｃａｒｒｉｅｒ ｓｅｎｓｅ ｍｕｌｔｉｐｌｅ ａｃｃｅｓｓ、ＣＳＭＡ)がある。ＣＳＭＡとは、ノード或いは通信機器が周波数帯域(ｂａｎｄ)のような、共有送信媒体(ｓｈａｒｅｄ ｔｒａｎｓｍｉｓｓｉｏｎ ｍｅｄｉｕｍ)(共有チャネルともいう。)上でトラフィック(ｔｒａｆｆｉｃ)を送信する前に、同一の共有送信媒体上に他のトラフィックがないことを確認する確率的(ｐｒｏｂａｂｉｌｉｓｔｉｃ)媒体接続制御(ｍｅｄｉａ ａｃｃｅｓｓ ｃｏｎｔｒｏｌ、ＭＡＣ)プロトコル(ｐｒｏｔｏｃｏｌ)を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波(ｃａｒｒｉｅｒ)の存在を検出(ｄｅｔｅｃｔ)することを試みる。搬送波が感知されると、送信装置は、自身の送信を開始する前に、進行中の他の送信装置によって送信が完了(ｆｉｎｉｓｈ)することを待つ。結局、ＣＳＭＡは、“ｓｅｎｓｅ ｂｅｆｏｒｅ ｔｒａｎｓｍｉｔ”或いは“ｌｉｓｔｅｎ ｂｅｆｏｒｅ ｔａｌｋ”の原理を基盤にした通信技法といえる。ＣＳＭＡを用いる競合ベース通信システムにおいて送信装置間の衝突を回避するための技法としてＣＳＭＡ／ＣＤ(Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ｄｅｔｅｃｔｉｏｎ)及び／又はＣＳＭＡ／ＣＡ(Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ａｖｏｉｄａｎｃｅ)が用いられる。ＣＳＭＡ／ＣＤは、有線ＬＡＮ環境での衝突検出技法であり、イーサネット(ｅｔｈｅｒｎｅｔ)環境で通信をしようとするＰＣ(Ｐｅｒｓｏｎａｌ Ｃｏｍｐｕｔｅｒ)やサーバー(ｓｅｒｖｅｒ)がまず、ネットワーク上で通信が行われているか確認した後、他の装置(ｄｅｖｉｃｅ)がデータを上記ネットワーク上で載せて送っていると、待ってからデータを送る。即ち、２人以上のユーザ(例、ＰＣ、ＵＥなど)が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデータ送信を調節する。ＣＳＭＡ／ＣＡは、ＩＥＥＥ８０２．１１標準に明示されている媒体接近制御プロトコ���である。ＩＥＥＥ８０２．１１標準に従うＷＬＡＮシステムは、ＩＥＥＥ８０２．３標準で用いられたＣＳＭＡ／ＣＤを用いず、ＣＡ、即ち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定(ｒｅｃｏｎｆｉｇｕｒａｔｉｏｎ)するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００３０】
後述する本発明の実施例において「仮定する」という表現は、チャネルを送信する主体が該当の「仮定」に符合するように上記チャネルを送信することを意味できる。上記チャネルを受信する主体は、上記チャネルが該当の「仮定」に符合するように送信されたという前提下に、該当の「仮定」に符合する形態で上記チャネルを受信或いは復号(ｄｅｃｏｄｅ)するものであることを意味できる。
【００３１】
本発明において、ＵＥは、固定していても移動性を有してもよく、基地局(ｂａｓｅ ｓｔａｔｉｏｎ、ＢＳ)と通信してユーザデータ及び／又は各種制御情報を送受信する各種機器がこれに属する。ＵＥは、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線機器(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)などと呼ぶことができる。また、本発明において、ＢＳは、一般に、ＵＥ及び／又は他のＢＳと通信する固定局(ｆｉｘｅｄ ｓｔａｔｉｏｎ)のことをいい、ＵＥ及び他のＢＳと通信して各種データ及び制御情報を交換する。ＢＳは、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、接続ポイント(Ａｃｃｅｓｓ Ｐｏｉｎｔ)、ＰＳ(Ｐｒｏｃｅｓｓｉｎｇ Ｓｅｒｖｅｒ)等の他の用語と呼ぶこともできる。特に、ＵＭＴＳのＢＳはＮＢと呼ばれ、ＥＰＣ／ＬＴＥのＢＳはｅＮＢと呼ばれ、ＮＲ(ｎｅｗ ｒａｄｉｏ)システムのＢＳはｇＮＢと呼ばれる。
【００３２】
本発明でいうノード(ｎｏｄｅ)とは、ＵＥと通信して無線信号を送信／受信し得る固定した地点(ｐｏｉｎｔ)のことを指す。様々な形態のｅＮＢを、その名称に関係なくノードとして用いることができる。例えば、ＢＳ、ＮＢ、ｅＮＢ、ピコセルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ ｒｅｍｏｔｅ ｈｅａｄ、ＲＲＨ)、無線リモートユニット(ｒａｄｉｏ ｒｅｍｏｔｅ ｕｎｉｔ、ＲＲＵ)とすることもできる。ＲＲＨ、ＲＲＵなどは、一般に、ｅＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は、一般に、光ケーブルなどの専用回線(ｄｅｄｉｃａｔｅｄ ｌｉｎｅ)でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント(ｐｏｉｎｔ)とも呼ばれる。
【００３３】
本発明でいうセル(ｃｅｌｌ)とは、１つ以上のノードが通信サービスを提供する一定の地理的領域を指す。従って、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル(ｓｅｒｖｉｎｇ ｃｅｌｌ)という。
【００３４】
一方、３ＧＰＰ ＬＴＥ／ＬＴＥ−Ａシステムは、無線リソースを管理するためにセル(ｃｅｌｌ)の概念を用いているが、無線リソースと関連付くセル(ｃｅｌｌ)は、地理的領域のセル(ｃｅｌｌ)と区別される。
【００３５】
地理的領域の“セル”は、ノードが搬送波を用いてサービスを提供できるカバレッジ(ｃｏｖｅｒａｇｅ)と理解することができ、無線リソースの“セル”は、上記搬送波によって設定(ｃｏｎｆｉｇｕｒｅ)される周波数範囲である帯域幅(ｂａｎｄｗｉｄｔｈ、ＢＷ)に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。従って、“セル”という用語は、時にはノードによるサービスのカバレッジを、時には無線リソースを、時には上記無線リソースを用いた信号が有効な強度で到達できる範囲を意味することに用いることができる。
【００３６】
一方、最近３ＧＰＰ基盤の無線通信標準は、無線リソースを管理するためにセル(ｃｅｌｌ)の概念を使用する。無線リソースと関連付く“セル”とは、下りリンクリソース(ＤＬ ｒｅｓｏｕｒｃｅｓ)と上りリンクリソース(ＵＬ ｒｅｓｏｕｒｃｅｓ)との組合せ、即ち、ＤＬ ＣＣとＵＬ ＣＣの組合せと定義される。セルは、ＤＬリソース単独、又はＤＬリソースとＵＬリソースとの組合せで設定する(ｃｏｎｆｉｇｕｒｅ)ことができる。搬送波集約が支援される場合、ＤＬリソース(又は、ＤＬ ＣＣ)の搬送波周波数(ｃａｒｒｉｅｒ ｆｒｅｑｕｅｎｃｙ)とＵＬリソース(又は、ＵＬ ＣＣ)の搬送波周波数(ｃａｒｒｉｅｒ ｆｒｅｑｕｅｎｃｙ)間のリンケージ(ｌｉｎｋａｇｅ)をシステム情報によって示すことができる。例えば、システム情報ブロックタイプ２(Ｓｙｓｔｅｍ Ｉｎｆｏｒｍａｔｉｏｎ Ｂｌｏｃｋ Ｔｙｐｅ ２；ＳＩＢ２)リンケージ(ｌｉｎｋａｇｅ)によってＤＬリソースとＵＬリソースとの組合せを示すことができる。ここで、搬送波周波数とは、各セル或いはＣＣの中心周波数(ｃｅｎｔｅｒ ｆｒｅｑｕｅｎｃｙ)を意味することができる。以下では、１次周波数(ｐｒｉｍａｒｙ ｆｒｅｑｕｅｎｃｙ)上で動作するセルを１次セル(ｐｒｉｍａｒｙ ｃｅｌｌ；Ｐｃｅｌｌ)或いはＰＣＣと呼び、２次周波数(Ｓｅｃｏｎｄａｒｙ ｆｒｅｑｕｅｎｃｙ)(又は、ＳＣＣ)上で動作するセルを２次セル(ｓｅｃｏｎｄａｒｙ ｃｅｌｌ；Ｓｃｅｌｌ)或いはＳＣＣと呼ぶ。下りリンクにおいてＰｃｅｌｌに対応する搬送波を下りリンク１次ＣＣ(ＤＬ ＰＣＣ)と称し、上りリンクにおいてＰｃｅｌｌに対応する搬送波を上りリンク１次ＣＣ(ＤＬ ＰＣＣ)と称する。Ｓｃｅｌｌとは、ＲＲＣ(Ｒａｄｉｏ Ｒｅｓｏｕｒｃｅ Ｃｏｎｔｒｏｌ)接続樹立(ｃｏｎｎｅｃｔｉｏｎ  ｅｓｔａｂｌｉｓｈｍｅｎｔ)の後に設定可能であり、追加の無線リソースを提供のために利用できるセルを意味する。ＵＥの性能(ｃａｐａｂｉｌｉｔｉｅｓ)によって、ＳｃｅｌｌがＰｃｅｌｌと共に、上記ＵＥのためのサービングセルのセット(ｓｅｔ)を形成することができる。下りリンクにおいてＳｃｅｌｌに対応する搬送波を下りリンク２次ＣＣ(ＤＬ ＳＣＣ)と称し、上りリンクにおいて上記Ｓｃｅｌｌに対応する搬送波を上りリンク２次ＣＣ(ＵＬ ＳＣＣ)と称する。ＲＲＣ＿ＣＯＮＮＥＣＴＥＤ状態にあるが、搬送波集成が設定されていないか或いは搬送波集成を支援しないＵＥの場合、Ｐｃｅｌｌだけで設定されたサービングセルがただ一つ存在する。
【００３７】
本発明において、“ＰＤＣＣＨ”はＰＤＣＣＨ、ＥＰＤＣＣＨ(設定時、サブフレーム内で)、ＭＴＣ ＰＤＣＣＨ(ＭＰＤＣＣＨ)、Ｒ−ＰＤＣＣＨが設定され、保留(ｓｕｓｐｅｎｄ)されないＲＮの場合はＲ−ＰＤＣＣＨ、又はＮＢ−ＩｏＴの場合には狭帯域のＰＤＣＣＨ(ＮＰＤＣＣＨ)を称する。
【００３８】
本発明において、チャネルモニタリングは、チャネルの復号試みを意味する。例えば、ＰＤＣＣＨモニタリングはＰＤＣＣＨ(又はＰＤＣＣＨ候補)の復号試みを意味する。
【００３９】
本発明において、二重連結(Ｄｕａｌ Ｃｏｎｎｅｃｔｉｖｉｔｙ、ＤＣ)動作について“特別のセル”という用語は、マスターセルグループ(ＭＣＧ)のＰＣｅｌｌ又は２次セルグループ(ＳＣＧ)のＰＣｅｌｌを称し、それ以外の場合、“特別のセル”はＰＣｅｌｌを称する。ＭＣＧは少なくともＳ１−ＭＭＥを終了するマスタＢＳに連関するサービングセルのグループであり、ＳＣＧはＵＥにさらなる無線リソースを提供するものの、マスタＢＳではない２次ＢＳに連関したサービングセルのグループである。ＳＣＧは１次ＳＣｅｌｌ(ｐｒｉｍａｒｙ ＳＣｅｌｌ、ＰＳＣｅｌｌ)及び選択的に１つ以上のＳＣｅｌｌで構成される。二重連結では、２つのＭＡＣエンティティー、即ち、ＭＣＧのためのＭＡＣエンティティーおよびＳＣＧのためのＭＡＣエンティティーがＵＥに設定される。各々のＭＡＣエンティティーはＰＵＣＣＨ送信と競争基盤のランダム接続を支援するサービングセルにＲＲＣにより設定される。この明細書において、ＳＰＣｅｌｌという用語はこのようなセルを意味し、反面ＳＣｅｌｌはそれ以外のサービングセルを意味する。ＳＰＣｅｌｌは、ＭＡＣエンティティーがＭＣＧに連関するか、それともＳＣＧに連関するかによって、ＭＣＧのＰＣｅｌｌ又はＳＣＧのＰＳＣｅｌｌを称する。
【００４０】
本発明において、“Ｃ−ＲＮＴＩ”はセルＲＮＴＩを称し、“ＳＩ−ＲＮＴＩ”はシステム情報ＲＴＮＩを称し、“Ｐ−ＲＮＴＩ”はページングＲＮＴＩを称し、“ＲＡ−ＲＮＴＩ”はランダム接続ＲＮＴＩを称し、“ＳＣ−ＲＮＴＩ”は単一セルＲＮＴＩを称し、“ＳＬ−ＲＮＴＩ”はサイドリンクＲＮＴＩを称し、また“ＳＰＳ Ｃ−ＲＮＴＩ”は準−持続的(Ｓｅｍｉ−ｐｅｒｓｉｓｔｅｎｔ)スケジューリングＣ−ＲＮＴＩを称する。
【００４１】
本発明で使用する用語及び技術のうち、具体的に説明されていない用語及び技術については、３ＧＰＰ ＬＴＥ／ＬＴＥ−Ａ標準文書、例えば、３ＧＰＰ ＴＳ ３６.２１１、３ＧＰＰ ＴＳ ３６.２１２、３ＧＰＰ ＴＳ ３６.２１３、３ＧＰＰ ＴＳ ３６．３００、３ＧＰＰ ＴＳ ３６．３２１、３ＧＰＰ ＴＳ ３６．３２２、３ＧＰＰ ＴＳ ３６．３２３及び３ＧＰＰ ＴＳ ３６．３３１、及び３ＧＰＰ ＮＲ標準文書、例えば、３ＧＰＰ ＴＳ ３８．２１１、３ＧＰＰ ＴＳ ３８．２１３、３ＧＰＰ ＴＳ ３８．２１４、３ＧＰＰ ＴＳ ３８．３００、３ＧＰＰ ＴＳ ３８．３２１、３ＧＰＰ ＴＳ ３８．３２２、３ＧＰＰ ＴＳ ３８．３２３及び３ＧＰＰ ＴＳ ３８．３３１を参照できる。
【００４２】
図２はＥ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。Ｅ−ＵＭＴＳはＬＴＥシステムとも呼ばれる。通信ネットワークはＩＭＳ及びパケットデータを通じたＶｏＩＰ(Ｖｏｉｃｅ ｏｖｅｒ ＩＰ)のような様々なサービスを提供するために広く配置される。
【００４３】
図２に示したように、Ｅ−ＵＭＴＳネットワークはＥ−ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(ｅｖｏｌｖｅｄ Ｐａｃｋｅｔ ｃｏｒｅ)及び１つ以上のＵＥを含む。Ｅ−ＵＴＲＡＮは１つのセルに位置可能な１つ以上のｅＮＢ(ｅｖｏｌｖｅｄ ＮｏｄｅＢ)２０及び複数のＵＥ１０を含む。一つ以上のＥ―ＵＴＲＡＮ ＭＭＥ(Ｍｏｂｉｌｉｔｙ Ｍａｎａｇｅｍｅｎｔ Ｅｎｔｉｔｙ)／ＳＡＥ(Ｓｙｓｔｅｍ Ａｒｃｈｉｔｅｃｔｕｒｅ Ｅｖｏｌｕｔｉｏｎ)ゲートウェイ３０は、ネットワークの終端に位置し、外部ネットワークに接続することもできる。
【００４４】
本明細書において、「下りリンク(ｄｏｗｎｌｉｎｋ)」は、ｅＮＢ２０からＵＥ１０への通信を称し、「上りリンク(ｕｐｌｉｎｋ)」は、ＵＥ１０からｅＮＢ２０への通信を称する。 
【００４５】
図３は、一般的なＥ―ＵＴＲＡＮと一般的なＥＰＣの構造を示すブロック図である。
【００４６】
図３に示したように、ｅＮＢ２０は、ユーザ平面及び制御平面のエンドポイント(ｅｎｄ  ｐｏｉｎｔ)をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００４７】
ｅＮＢ２０は、一般にＵＥ１０と通信する固定局であって、基地局(ＢＳ)又はアクセスポイント(ａｃｃｅｓｓ ｐｏｉｎｔ)と称することもある。一つのｅＮＢ２０はセルごとに配置することができる。ユーザトラフィック又は制御トラフィックを送信するためのインターフェースをｅＮＢ２０間で使用することができる。
【００４８】
ＭＭＥは、ｅＮＢ２０に対するＮＡＳシグナリング、ＮＡＳシグナリング保安、接続階層(ａｃｃｅｓｓ ｓｔｒａｔｕｍ、ＡＳ)保安制御、３ＧＰＰ接続ネットワーク間の移動性のためのインター(ｉｎｔｅｒ)ＣＮノードシグナリング、(ページング再送信の制御及び実行を含む。)遊休モード(ｉｄｌｅ ｍｏｄｅ)ＵＥ接近性(Ｒｅａｃｈａｂｉｌｉｔｙ)、(遊休モード及び活性モード(ａｃｔｉｖｅ ｍｏｄｅ)のＵＥのための)トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、(ＥＴＷＳ及びＣＭＡＳを含む)ＰＷＳメッセージ送信のためのサポートを含む多様な機能を行う。ＳＡＥゲートウェイホストは、パー―ユーザ(Ｐｅｒ―ｕｓｅｒ)ベースのパケットフィルタリング(例えば、深層パケット検査を使用)、適法なインターセプション(Ｌａｗｆｕｌ Ｉｎｔｅｒｃｅｐｔｉｏｎ)、ＵＥ ＩＰアドレス割当て、下りリンクでの送信(Ｔｒａｎｓｐｏｒｔ)レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００４９】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造(ｍｅｓｈｅｄ ｎｅｔｗｏｒｋ ｓｔｒｕｃｔｕｒｅ)を有することができる。
【００５０】
図３に示したように、ｅＮＢ２０は、ゲートウェイ３０に対する選択、無線リソース制御(Ｒａｄｉｏ Ｒｅｓｏｕｒｃｅ Ｃｏｎｔｒｏｌ、ＲＲＣ)活性化の間、ゲートウェイに向かうルーティング、ページングメッセージのスケジューリング及び送信、ブロードキャストチャネル(ＢＣＣＨ)情報のスケジューリング及び送信、上りリンク及び下りリンクの全てにおける各ＵＥ１０のための動的リソース割当て、ｅＮＢ測定の構成及び準備、無線ベアラ制御、無線承認制御(Ｒａｄｉｏ Ａｄｍｉｓｓｉｏｎ Ｃｏｎｔｒｏｌ、ＲＡＣ)、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション(Ｓｙｓｔｅｍ Ａｒｃｈｉｔｅｃｔｕｒｅ Ｅｖｏｌｕｔｉｏｎ、ＳＡＥ)ベアラ制御、及び非―接続層(Ｎｏｎ―Ａｃｃｅｓｓ Ｓｔｒａｔｕｍ、ＮＡＳ)シグナリングの暗号化及び完全性保護などの各機能を行うことができる。
【００５１】
ＥＰＣは、移動性管理エンティティー(Ｍｏｂｉｌｉｔｙ Ｍａｎａｇｅｍｅｎｔ Ｅｎｔｉｔｙ、ＭＭＥ)、サービング―ゲートウェイ(ｓｅｒｖｉｎｇ―ｇａｔｅｗａｙ、Ｓ―ＧＷ)、及びパケットデータネットワーク―ゲートウェイ(Ｐａｃｋｅｔ Ｄａｔａ Ｎｅｔｗｏｒｋ―Ｇａｔｅｗａｙ、ＰＤＮ―ＧＷ)を含む。ＭＭＥは主にＵＥの移動性を管理する目的で用いられる連結及び可用性に関する情報を有する。Ｓ―ＧＷは、Ｅ―ＵＴＲＡＮを終端点として有するゲートウェイであり、ＰＤＮ―ＧＷは、パケットデータネットワーク(ＰＤＮ)を終端点として有するゲートウェイである。
【００５２】
図４は、３ＧＰＰ無線接続網規格に基づくＵＥとＥ―ＵＴＲＡＮとの間の無線インターフェースプロトコルの制御平面及びユーザ平面の構造を示す図である。制御平面は、端末(Ｕｓｅｒ Ｅｑｕｉｐｍｅｎｔ；ＵＥ)とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００５３】
ＬＴＥ／ＬＴＥ−Ａシステムの階層１(即ち、Ｌ１)は物理階層に相当する。第１階層(即ち、階層１又はＬ１)である物理階層は物理チャネル(ｐｈｙｓｉｃａｌ ｃｈａｎｎｅｌ)を用いて上位階層に情報送信サービス(ｉｎｆｏｒｍａｔｉｏｎ ｔｒａｎｓｆｅｒ ｓｅｒｖｉｃｅ)を提供する。物理層は、上位にある媒体接続制御(Ｍｅｄｉｕｍ ａｃｃｅｓｓ Ｃｏｎｔｒｏｌ)層とは送信チャネル(Ｔｒａｎｓｐｏｒｔ Ｃｈａｎｎｅｌ)を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ(Ｏｒｔｈｏｇｏｎａｌ Ｆｒｅｑｕｅｎｃｙ ｄｉｖｉｓｉｏｎ Ｍｕｌｔｉｐｌｅ ａｃｃｅｓｓ)方式で変調され、上りリンクでＳＣ―ＦＤＭＡ(Ｓｉｎｇｌｅ Ｃａｒｒｉｅｒ Ｆｒｅｑｕｅｎｃｙ ｄｉｖｉｓｉｏｎ Ｍｕｌｔｉｐｌｅ ａｃｃｅｓｓ)方式で変調される。
【００５４】
ＬＴＥ／ＬＴＥ−Ａシステムの階層２(即ち、Ｌ２)は次のサブ階層に分けられる：媒体接続制御(Ｍｅｄｉｕｍ ａｃｃｅｓｓ Ｃｏｎｔｒｏｌ、ＭＡＣ)、無線リンク制御(Ｒａｄｉｏ Ｌｉｎｋ Ｃｏｎｔｒｏｌ、ＲＬＣ)及びパケットデータ収斂プロトコル(Ｐａｃｋｅｔ Ｄａｔａ Ｃｏｎｖｅｒｇｅｎｃｅ Ｐｒｏｔｏｃｏｌ、ＰＤＣＰ)物理階層に相当する。第２層のＲＬＣ層は、信頼性のあるデータ送信をサポートする。ＲＬＣ層の機能は、ＭＡＣ内部の機能ブロックで具現することもできる。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰバージョン４(ＩＰ ｖｅｒｓｉｏｎ ４、ＩＰｖ４)パケットやＩＰバージョン６(ＩＰｖ６)パケットのようなＩＰ(ｉｎｔｅｒｎｅｔ ｐｒｏｔｏｃｏｌ)パケットを効率的に送信するために不必要な制御情報を減少させるヘッダ圧縮(Ｈｅａｄｅｒ Ｃｏｍｐｒｅｓｓｉｏｎ)機能を行う。
【００５５】
ＭＡＣサブ階層の主要サービス及び機能は、論理チャネルと送信チャネルの間のマッピング；送信チャネル上で物理階層に/から伝達される送信ブロック(ＴＢ)に/からの１つ又は異なる論理チャネルに属するＭＡＣ ＳＤＵの多重化/逆多重化；スケジューリング情報報告；ＨＡＲＱによるエラー訂正；１つのＵＥの論理チャネル間の優先順位ハンドリング；動的スケジューリングによるＵＥ間の優先順位ハンドリング；ＭＢＭＳサービス識別；送信フォーマット選択(ｓｅｌｅｃｔｉｏｎ)及びパディング(ｐａｄｄｉｎｇ)を含む。
【００５６】
ＲＬＣサブ階層の主要サービス及び機能は:上位階層プロトコルデータユニット(ｐｒｏｔｏｃｏｌ ｄａｔａ ｕｎｉｔ、ＰＤＵ)の送信；(ＡＭ(ａｃｋｎｏｗｌｅｄｇｅｄ ｍｏｄｅ)データ送信についてのみ)ＡＲＱを通じたエラー訂正；(ＵＭ(ｕｎａｃｋｎｏｗｌｅｄｇｅｄ ｍｏｄｅ)及びＡＭデータ送信についてのみ)ＲＬＣサービスデータユニット(ｓｅｒｖｉｃｅ ｄａｔａ ｕｎｉｔ、ＳＤＵ)の連結(ｃｏｎｃａｔｅｎａｔｉｏｎ)、分割(ｓｅｇｍｅｎｔａｔｉｏｎ)及びリアセンブリ(ｒｅａｓｓｅｍｂｌｙ)；(ＡＭデータ送信についてのみ)ＲＬＣデータＰＤＵの再分割(ｒｅ−ｓｅｇｍｅｎｔａｔｉｏｎ)；(ＵＭ及びＡＭデータ送信についてのみ)ＲＬＣデータＰＤＵの再整列(ｒｅｏｒｄｅｒｉｎｇ)；(ＵＭ及びＡＭデータ送信についてのみ)重複(ｄｕｐｌｉｃａｔｅ)検出；(ＡＭデータ送信についてのみ)プロトコルエラー検出；(ＵＭ及びＡＭデータ送信についてのみ)ＲＬＣ ＳＤＵ廃棄；及び制御平面ＣＩｏＴ ＥＰＳ最適化(ｏｐｔｉｍｉｚａｔｉｏｎ)のみを使用するＮＢ−ＩｏＴ ＵＥを除いた、ＲＬＣの再建(ｒｅ−ｅｓｔａｂｌｉｓｈｍｅｎｔ)を含む。
【００５７】
ユーザ平面に対するＰＤＣＰサブ階層の主要サービスと機能は、ヘッダ圧縮及び圧縮解除(ｄｅｃｏｍｐｒｅｓｓｉｏｎ)(ＲＯＨＣのみ)；ユーザデータの送信；ＲＬＣ ＡＭに対するＰＤＣＰ再建手順における上位階層ＰＤＵの順次伝達(ｉｎ−ｓｅｑｕｅｎｃｅ ｄｅｌｉｖｅｒｙ)；ＤＣにおけるスプリットベアラ及びＬＷＡベアラの場合(ＲＬＣ ＡＭに対する支援のみ)、送信のためのＰＤＣＰ ＰＤＵルーティング及び受信のためのＰＤＣＰ ＰＤＵ再整列(ｒｅｏｒｄｅｒｉｎｇ)；ＲＬＣ ＡＭに対するＰＤＣＰ再建手順における下位階層ＳＤＵの重複検出；ＲＬＣ ＡＭのためのハンドオーバー時のＰＤＣＰ ＳＤＵの再送信、及びＤＬにおけるスプリットベアラ及びＬＷＡベアラの場合、ＰＤＣＰデータ復旧手順におけるＰＤＣＰ ＰＤＵの再送信；暗号化(ｃｉｐｈｅｒｉｎｇ)及び暗号解読(ｄｅｃｉｐｈｅｒｉｎｇ)；及び上りリンクにおけるタイマー基盤のＳＤＵ廃棄を含む。制御平面に対するＰＤＣＰの主要サービスと機能は、暗号化及び無欠性保護；及び制御平面データの送信を含む。スプリット及びＬＷＡベアラの場合、ＰＤＣＰはルーティングと再整列を支援する。ＲＬＣ ＡＭ上にマッピングされるＤＲＢ及びＬＷＡベアラの場合、ＰＤＣＰエンティティーが２つのＡＭ ＲＬＣエンティティーに連関する時、ＰＤＣＰエンティティーがＬＷＡベアラについて設定される時、又は最も最近の再設定によってＰＤＣＰ再建を行わずＬＷＡベアについて設定されるか又は２つのＡＭ ＲＬＣエンティティーに連関した後、ＰＤＣＰエンティティーが１つのＡＭ ＲＬＣエンティティーに連関する時、ＰＤＣＰエンティティーは再整列機能を用いる。
【００５８】
第３階層(即ち、Ｌ３階層)の最下部に位置する無線リソース制御(ｒａｄｉｏ ｒｅｓｏｕｒｃｅ ｃｏｎｔｒｏｌ、ＲＲＣ)階層は制御平面でのみ定義される。ＲＲＣ階層は、無線ベアラ(Ｒａｄｉｏ Ｂｅａｒｅｒ；ＲＢ)の設定(Ｃｏｎｆｉｇｕｒａｔｉｏｎ)、再設定(Ｒｅ―ｃｏｎｆｉｇｕｒａｔｉｏｎ)及び解除(Ｒｅｌｅａｓｅ)と関連して論理チャネル、送信チャネル及び物理チャネルの制御を担当する。ＲＢは、ＵＥとネットワークとの間のデータ伝達のために第２階層によって提供されるサービスを意味する。ＲＲＣ階層の上位に位置する非接続(ｎｏｎ−ａｃｃｅｓｓ ｓｔｒａｔｕｍ、ＮＡＳ)階層はセクション管理と移動性管理のような機能を行う。
【００５９】
無線ベアラは、おおよそ(ユーザ)データ無線ベアラ(ＤＲＢ)及びシグナリング無線ベアラ(ＳＲＢ)に分類される。ＳＲＢはＲＲＣ及びＮＡＳメッセージの送信にのみ使用される無線ベアラ(ＲＢ)として定義される。
【００６０】
ＬＴＥにおいて、ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００６１】
Ｅ―ＵＴＲＡＮから端末への送信のための下りリンク送信チャネル(Ｄｏｗｎｌｉｎｋ ｔｒａｎｓｐｏｒｔ Ｃｈａｎｎｅｌ)は、システム情報を送信するＢＣＨ(Ｂｒｏａｄｃａｓｔ  Ｃｈａｎｎｅｌ)、各ページングメッセージを送信するＰＣＨ(Ｐａｇｉｎｇ Ｃｈａｎｎｅｌ)、及びユーザトラフィック又は各制御メッセージを送信するための下りリンク共有チャネル(Ｓｈａｒｅｄ Ｃｈａｎｎｅｌ、ＳＣＨ)を含む。下りリンクマルチキャスト又はブロードキャストサービスのトラフィック又は制御メッセージの場合、下りリンクＳＣＨを介して送信することもでき、又は別途の下りリンクＭＣＨ(Ｍｕｌｔｉｃａｓｔ Ｃｈａｎｎｅｌ)を介して送信することもできる。
【００６２】
ＵＥからネットワークにデータを送信する上りリンク送信チャネルとしては、初期制御メッセージを送信するＲＡＣＨ(Ｒａｎｄｏｍ ａｃｃｅｓｓ Ｃｈａｎｎｅｌ)と、その他にユーザトラフィックや制御メッセージを送信する上りリンクＳＣＨ(Ｓｈａｒｅｄ Ｃｈａｎｎｅｌ)とがある。送信チャネルの上位にあり、送信チャネルにマップされる論理チャネルとしては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、及びＭＴＣＨ(Ｍｕｌｔｉｃａｓｔ Ｔｒａｆｆｉｃ Ｃｈａｎｎｅｌ)などがある。
【００６３】
図５は、Ｅ−ＵＭＴＳシステムで使用する物理チャネル構造の一例を示した図である。物理チャネルは、時間軸上にある複数のサブフレームと、周波数軸上にある複数のサブキャリア(Ｓｕｂ―ｃａｒｒｉｅｒ)とで構成される。ここで、一つのサブフレーム(Ｓｕｂ−ｆｒａｍｅ)は、時間軸上に複数のシンボル(Ｓｙｍｂｏｌ)で構成される。一つのサブフレームは、複数のリソースブロック(Ｒｅｓｏｕｒｃｅ Ｂｌｏｃｋ)で構成され、一つのリソースブロックは、複数のシンボル及び複数のサブキャリアで構成される。また、各サブフレームは、ＰＤＣＣＨ(Ｐｈｙｓｉｃａｌ Ｄｏｗｎｌｉｎｋ Ｃｏｎｔｒｏｌ Ｃｈａｎｎｅｌ)、即ち、Ｌ１／Ｌ２制御チャネルのために該当のサブフレームの特定シンボル(例えば、１番目のシンボル)の特定サブキャリアを用いることができる。図５には、Ｌ１／Ｌ２制御情報送信領域(ＰＤＣＣＨ)とデータ領域(ＰＤＳＣＨ)を示した。一実施例において、１０ｍｓの無線フレーム(ｒａｄｉｏ ｆｒａｍｅ)が使用され、一つの無線フレームは１０個のサブフレーム(ｓｕｂｆｒａｍｅ)で構成される。また、一つのサブフレームは二つの連続するスロットで構成される。一つのスロットの長さは０．５ｍｓである。また、一つのサブフレームは複数のＯＦＤＭシンボルで構成され、複数のＯＦＤＭシンボルのうち一部のシンボル(例えば、１番目のシンボル)は、Ｌ１／Ｌ２制御情報を送信するために使用することができる。 
【００６４】
サブフレームを送信するための時間は送信時間間隔(ｔｒａｎｓｍｉｓｓｉｏｎ ｔｉｍｅ  ｉｎｔｅｒｖａｌ；ＴＴＩ)と定義される。時間リソースは、無線フレーム番号(或いは無線フレームインデックスともいう。)、サブフレーム番号(或いは、サブフレーム番号ともいう。)、スロット番号(或いはスロットインデックスともいう。)などによって区分することができる。ＴＴＩとは、データがスケジューリングされ得る間隔を意味する。例えば、現在ＬＴＥ／ＬＴＥ−ＡシステムにおいてＵＬグラント或いはＤＬグラントの送信機会は１ｍｓごとに存在し、１ｍｓより短い時間内にはＵＬ／ＤＬグラント機会が複数回存在しない。従って、既存のＬＴＥ／ＬＴＥ−ＡシステムにおいてＴＴＩは１ｍｓである。
【００６５】
基地局とＵＥは、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末(一つ又は複数の端末)に送信されるもので、前記各端末がどのようにＰＤＳＣＨデータを受信してデコード(ｄｅｃｏｄｉｎｇ)しなければならないのかに対する情報などは、ＰＤＣＣＨに含まれて送信される。
【００６６】
例えば、特定のＰＤＣＣＨが"Ａ"というＲＮＴＩ(Ｒａｄｉｏ Ｎｅｔｗｏｒｋ Ｔｅｍｐｏｒａｒｙ Ｉｄｅｎｔｉｔｙ)にＣＲＣマスキング(ｍａｓｋｉｎｇ)されており、"Ｂ"という無線リソース(例えば、周波数位置)及び"Ｃ"という送信形式情報(例えば、輸送ブロックサイズ、変調方式、コーディング情報など)を用いて送信されるデータに関する情報が特定のサブフレームにより送信されると仮定する。その後、セル内のＵＥは自分のＲＮＴＩ情報を用いてＰＤＣＣＨをモニタリングし、"Ａ"ＲＮＴＩを有している１つ以上のＵＥがあれば、ＵＥはＰＤＣＣＨを受信し、受信したＰＤＣＣＨの情報によって"Ｂ"と"Ｃ"により指示されるＰＤＳＣＨを受信する。本発明において、ＲＮＴＩにアドレスされたＰＤＣＣＨとは、ＰＤＣＣＨがＲＮＴＩに巡回冗長検査(ｃｙｃｌｉｃ ｒｅｄｕｎｄａｎｃｙ Ｃｈｅｃｋ、ＣＲＣ)マスキングされたことを意味する。ＵＥがＲＮＴＩにアドレスされたＰＤＣＣＨをモニタリングしていると、ＵＥはそのＲＮＴＩを用いてＰＤＣＣＨの復号を試みることができる。
【００６７】
図６はＬＴＥ/ＬＴＥ−Ａシステムにおいて送信装置におけるデータ流れの一例を示す図である。特に、図６はＵＥが送信側であり、ＢＳ又はネットワークが受信側である場合の上りリンク(ＵＬ)のデータ流れの一例を示す。下りリンク(ＤＬ)のデータ流れは、ＵＥがＵＬ ＭＡＣ ＰＤＵの送信に使用されるＵＬグラントを受信する反面、ＢＳがＤＬ ＭＡＣ ＰＤＵの送信に使用されるＤＬグラントを受信せず、それを割り当てることができるということを除いて、ＵＬデータの流れと類似する。
【００６８】
図６を参照すると、ＬＴＥにおいて、ＵＥにおけるＭＡＣ ＰＤＵ構成(ｃｏｎｓｔｒｕｃｔｉｏｎ)プロセスは、以下のようにＵＬグラントが受信される時に開始される。
【００６９】
＞１．ＵＥがｅＮＢからＵＬグラントを受信する。
【００７０】
＞２．ＭＡＣエンティティーが論理チャネル優先化(Ｌｏｇｉｃａｌ Ｃｈａｎｎｅｌ Ｐｒｉｏｒｉｔｉｚａｔｉｏｎ、ＬＣＰ)手順を行って各ＲＬＣエンティティーに対するＲＬＣ ＰＤＵサイズを決定する。
【００７１】
＞３．ＭＡＣエンティティーは決定されたＲＬＣ ＰＤＵサイズを各ＲＬＣエンティティーに指示する。
【００７２】
＞４．各ＲＬＣエンティティーはＲＬＣ ＳＤＵの分割及び連接(ｃｏｎｃａｔｅｎａｔｉｏｎ)を行ってＲＬＣ ＰＤＵを構成する。ＲＬＣ ＳＤＵはＲＬＣエンティティーが上位階層(例えば、ＰＤＣＰエンティティー)から受信する。ＰＤＣＰエンティティーからＲＬＣエンティティーに提出された各々のＰＤＣＰ ＰＤＵはＲＬＣエンティティーではＲＬＣ ＳＤＵである。
【００７３】
送信ＵＭ ＲＬＣエンティティーがＲＬＣ ＳＤＵからＵＭＤ ＰＤＵを形成する時、ＲＬＣ ＳＤＵを分割及び／又は連接して、ＵＭＤ ＰＤＵが、下位階層(例えば、ＭＡＣエンティティー)により通知された特定の送信機会に下位階層により指示されたＲＬＣ ＰＤＵの総サイズ内に収まるようにし、ＵＭＤ ＰＤＵ内に関連(ｒｅｌｅｖａｎｔ)ＲＬＣヘッダを含める。ＡＭ ＲＬＣエンティティーの送信側がＲＬＣ ＳＤＵからＡＭＤ ＰＤＵを形成する時、ＲＬＣ ＳＤＵを分割及び/又は連接して、ＡＭＤ ＰＤＵが、下位階層(例えば、ＭＡＣエンティティー)により通知された特定の送信機会に下位階層により指示されたＲＬＣ ＰＤＵの総サイズ内に収まるようにする。ＡＭ ＲＬＣエンティティーの送信側は、ＲＬＣデータＰＤＵの再送信(ＡＲＱ)を支援する。再送信されるＲＬＣデータＰＤＵが下位階層(例えば、ＭＡＣエンティティー)により通知された特定の送信機会に下位階層により指示されたＲＬＣ ＰＤＵの総サイズ内に収らないと、ＡＭ ＲＬＣエンティティーはＲＬＣデータＰＤＵをＡＭＤ ＰＤＵセグメントに再分割することができ、再分割の数は制限されない。ＡＭ ＲＬＣエンティティーの送信側が上位階層(例えば、ＰＤＣＰエンティティー)から受信されたＲＬＣ ＳＤＵからＡＭＤ ＰＤＵを形成するか、又は再送信されるＲＬＣデータＰＤＵからＡＭＤ ＰＤＵセグメントを形成すると、ＲＬＣデータＰＤＵ内に関連ＲＬＣヘッダを含める。
【００７４】
各々のＲＬＣ ＰＤＵについて、ＦＩ(Ｆｒａｍｉｎｇ Ｉｎｆｏ)及びＲＳＮ(ＲＬＣＳｅｑｕｅｎｃｅ Ｎｕｍｂｅｒ)は該当ＲＬＣヘッダに強制的に入れられる。ＬＩ(Ｌｅｎｇｔｈ Ｉｎｄｉｃａｔｏｒ)は２つのＲＬＣ ＳＤＵ(セグメント)が連接する度に該当ＲＬＣヘッダに含まれる。
【００７５】
＞５．各々のＲＬＣエンティティーは構成されたＲＬＣ ＰＤＵをＭＡＣエンティティーに伝達する。
【００７６】
新しいＴＭＤ ＰＤＵを下位階層(例えば、ＭＡＣエンティティー)に提出する時、送信ＴＭ ＲＬＣエンティティーは変更なしにＲＬＣ ＳＤＵを下位階層に提出する。
【００７７】
新しいＵＭＤ ＰＤＵを下位階層(例えば、ＭＡＣエンティティー)に伝達すると、送信ＵＭ ＲＬＣエンティティーはＵＭＤ ＰＵＤのシーケンス番号(ＳＮ)をＶＴ(ＵＳ)に設定した後、ＶＴ(ＵＳ)を１ずつ増加させる。ここで、状態変数(ＶＴ(ＵＳ))は次に新しく生成されるＵＭＤ ＰＤＵに割り当てられるＳＮの値を保有し、ＶＴ(ＵＳ)は初期に０にセットされ、送信ＵＭ ＲＬＣエンティティーがＳＮ＝ＶＴ(ＵＳ)を有するＵＭＤ ＰＤＵを伝達する度にアップデートされる。
【００７８】
ＡＭ ＲＬＣエンティティーの送信側はＲＬＣデータＰＤＵよりＲＬＣ制御ＰＤＵの送信を優先する(ｐｒｉｏｒｉｔｉｚｅ)。ＡＭ ＲＬＣエンティティーの送信側は新しいＡＭＤ ＰＤＵの送信よりＲＬＣデータＰＤＵの再送信を優先する。ＡＭ ＲＬＣエンティティーの送信側は送信ウィンドウを維持する必要があり、ＳＮは送信ウィンドウから外れるいかなるＲＬＣデータＰＤＵも下位階層に伝達しない。新しいＡＭＤ ＰＤＵを下位階層(例えば、ＭＡＣエンティティー)に伝達すると、ＡＭ ＲＬＣエンティティーの送信側はＡＭＤ ＰＤＵのＳＮをＶＴ(Ｓ)に設定した後、ＶＴ(Ｓ)を１ずつ増加させる。ここで、状態変数(ＶＴ(Ｓ))は次に新しく生成されるＡＭＤ ＰＤＵに割り当てられるＳＮの値を保有し、ＶＴ(Ｓ)は初期に０にセットされ、ＡＭ ＲＬＣエンティティーの送信側がＳＮ＝ＶＴ(Ｓ)を有するＡＭＤ ＰＤＵを伝達する度にアップデートされる。ＡＭ ＲＬＣエンティティーの送信側はそのピア(ｐｅｅｒ)ＡＭ ＲＬＣエンティティーから状態ＰＤＵによりＲＬＣデータＰＤＵに対する肯定確認応答(ｐｏｓｉｔｉｖｅ ａｃｋｎｏｗｌｅｄｇｅｍｅｎｔ)(そのピアＡＭ ＲＬＣエンティティーによる成功裏な受信の確認)を受信することができる。肯定確認応答が送信されたＲＬＣ ＳＤＵに連関する全てのＡＭＤ ＰＤＵに対して受信されると、ＡＭ ＲＬＣエンティティーの送信側はＲＬＣ ＳＤＵの成功裏な伝達の指示を上位階層に送る。
【００７９】
＞６.ＭＡＣエンティティーは多数のＲＬＣエンティティーから受信されたＲＬＣ ＰＤＵを連接する。
【００８０】
＞７.ＭＡＣエンティティーは各々のＭＡＣ ＳＤＵに対するＭＡＣサブヘッダの値をセットし、ＭＡＣ ＰＤＵの前側の全てのＭＡＣサブヘッダを集めてＭＡＣヘッダを形成する。
【００８１】
３ＧＰＰ ＴＳ ３６.３２３を参照すると、上位階層からのＰＤＣＰ ＳＤＵの受信時、送信ＰＤＣＰエンティティー(即ち、送信側におけるＰＤＣＰエンティティー)は(設定されると)ＰＤＣＰ ＳＤＵに連関するｄｉｓｃａｒｄＴｉｍｅｒを始める。上位階層から受信されたＰＤＣＰ ＳＤＵに対して、送信ＰＤＣＰエンティティーはＮｅｘｔ_ＰＤＣＰ_ＴＸ_ＳＮに対応するＰＤＣＰ ＳＮをこのＰＤＣＰ ＳＤＵに連関させる。ここで、変数Ｎｅｘｔ_ＰＤＣＰ_ＴＸ_は、与えられたＰＤＣＰエンティティーに対して以下のＰＤＣＰ ＳＤＵのＰＤＣＰ ＳＮを示し、ＰＤＣＰエンティティーの設定時に０にセットされる。送信ＰＤＣＰエンティティーは(設定されると)ＰＤＣＰ ＳＤＵのヘッダ圧縮を行い、(適用可能であれば)無欠性保護及び(適用可能であれば)暗号化を行ってＰＤＣＰデータＰＤＵを生成する。送信ＰＤＣＰエンティティーは生成されたＰＤＣＰデータＰＤＵを下位階層(例えば、ＲＬＣエンティティー)に提出する。送信ＰＤＣＰエンティティー(例えば、ＵＥのＰＤＣＰエンティティー)でＰＤＣＰ ＳＤＵに連関するｄｉｓｃａｒｄＴｉｍｅｒが満了したとは、ＰＤＣＰ ＳＤＵの有意味な送信のための時間が経過したことを意味する。例えば、あるデータ無線ベアラ(ｄａｔａ ｒａｄｉｏ ｂｅａｒｅｒ、ＤＲＢ)に対するデータが短い時間の間に受信側(ｒｅｃｅｉｖｉｎｇ ｓｉｄｅ)に到達した場合にのみ意味があるデータであれば、ＤＲＢに対するｄｉｓｃａｒｄＴｉｍｅｒが短く設定され、ＤＲＢに対するデータが時間に敏感ではないか、又は時間に関係なく受信側に提供されるべき重要なデータであれば、ＤＲＢに対するｄｉｓｃａｒｄＴｉｍｅｒが長く設定される。ＤＲＢに対するｄｉｓｃａｒｄＴｉｍｅｒはＲＲＣにより設定される。従って、ＰＤＣＰ ＳＤＵに対するｄｉｓｃａｒｄＴｉｍｅｒが満了すると、ＬＴＥのＰＤＣＰエンティティーは該当ＰＤＣＰ ＳＤＵをそれ以上ＰＤＣＰバッファーに維持する必要がないので、ＰＤＣＰ ＳＤＵ及び該当ＰＤＣＰ ＰＤＵを廃棄する。一方、ＰＤＣＰ ＳＤＵが成功裏に受信側に配達された場合は、それ以上ＰＤＣＰ ＳＤＵを送信しなくてもよいので、ＰＤＣＰ ＳＤＵの成功裏な配達がＰＤＣＰ状態報告又はＬＷＡ状態報告により確認されると、ＬＴＥの送信ＰＤＣＰエンティティーはＰＤＣＰ ＳＤＵ及び該当ＰＤＣＰ ＰＤＵを廃棄する。廃棄されるべきＰＤＣＰ ＰＤＵが既にＲＬＣ階層に提出された場合は、ＰＤＣＰ階層にはＰＤＣＰ ＰＤＵがそれ以上残っていないが、ＲＬＣ階層にはＰＤＣＰ ＰＤＵのＲＬＣ ＳＤＵが残っていることができるので、ＰＤＣＰ階層はＰＤＣＰ ＰＤＵに連関する特定のＲＬＣ ＳＤＵを廃棄することをＲＬＣ階層に指示する。上位階層(即ち、ＰＤＣＰ)から特定のＲＬＣ ＳＤＵを廃棄するように指示される場合、ＲＬＣ ＳＤＵのセグメントがＲＬＣデータＰＤＵにまだマッピングされていないと、送信ＵＭ ＲＬＣエンティティー又はＡＭ ＲＬＣエンティティーの送信側は指示されたＲＬＣ ＳＤＵを廃棄する。
【００８２】
近い将来に全く移動可能でありながらも連結された社会が予想され、これは連結性(ｃｏｎｎｅｃｔｉｖｉｔｙ)、交通量及びもっと広い範囲の使用シナリオにおいて巨大な成長によって特徴付けられるであろう。一般的な趨勢は、データトラフィックの爆発的な成長、連結された装置の大幅な増加及び新しいサービスの持続的な出現を含む。市場要求事項の他にも、モバイル通信社会そのものはまたエコシステムの持続的な開発を要求し、これはスペクトル効率、エネルギー効率、動作効率、費用効率などのシステム効率をもっと改善する必要性を発生させる。市場及びモバイル通信社会からのずっと上昇する要求事項を満たすために、次世代接近技術が近い将来に出現すると期待される。
【００８３】
ＩＭＴ−２０００(３Ｇ)及びＩＭＴ−アドバンス(４Ｇ)の成功に基づいて、３ＧＰＰは２０１５年９月以後ＩＭＴ−２０２０(５Ｇ)の開発に専念している。５Ｇ ＮＲ(Ｎｅｗ Ｒａｄｉｏ)は現在のＩＭＴ−アドバンス標準以上、例えば、ｅＭＢＢ(ｅｎｈａｎｃｅｄ Ｍｏｂｉｌｅ Ｂｒｏａｄｂａｎｄ)、ＵＲＬＬＣ(Ｕｌｔｒａ Ｒｅｌｉａｂｌｅ Ｌｏｗ Ｌａｔｅｎｃｙ Ｃｏｍｍｕｎｉｃａｔｉｏｎ)及びｍＭＴＣ(ｍａｓｓｉｖｅ ＭＡＣｈｉｎｅ ｔｙｐｅ Ｃｏｍｍｕｎｉｃａｔｉｏｎ)を持続する様々な使用ケースシナリオ及びアプリケーションを拡張して支援すると期待される。ｅＭＢＢは室内外の全てにおけるシームレスな(ｓｅａｍｌｅｓｓ)データ接続などの高いデータレートのモバイルブロードバンドサービス及びＡＲ/ＶＲアプリケーションを対象とし；ＵＲＬＬＣは自立走行が可能であり、産業プラントにおいてネットワーク制御可能な車両間通信などの厳しい遅延(ｌａｔｅｎｃｙ)及び信頼性(ｒｅｌｉａｂｉｌｉｔｙ)の要求事項を有するアプリケーションのために定義され；ｍＭＴＣはインフラ(ｉｎｆｒａｓｔｒｕｃｔｕｒｅ)管理、環境モニタリング及びヘルスケア・アプリケーションのために許容されるＩｏＴにおける連結性(ｃｏｎｎｅｃｔｉｖｉｔｙ)に基づく。
【００８４】
ＮＲシステムのための全体プロトコルスタックアーキテクチャは、ＬＴＥ/ＬＴＥ−Ａシステムと類似するものの、ＬＴＥ/ＬＴＥ−Ａシステムのプロトコルスタックの一部の機能性は、ＬＴＥの弱点又は欠点を解決するためにＮＲシステムで修訂が必要である。ＮＲのためのＲＡＮ ＷＧ２は無線インターフェースアーキテクチャ及びプロトコルを担当する。制御平面の新しい機能性はエネルギー消費を節減し、干渉を緩和するためのオン・デマンド(ｏｎ−ｄｅｍａｎｄ)システム情報の伝達、シームレスなハンドオーバーを具現するための２−レベル(即ち、無線リソース制御(ＲＲＣ)及び媒体接続制御(ＭＡＣ))移動性、高い周波数を収容するためのビーム基盤の移動性管理、状態遷移遅延を減少し、ＵＥバッテリーの寿命を改善するためのＲＲＣ非活性(ｉｎａｃｔｉｖｅ)状態を含む。ユーザ平面の新しい機能性は連接及び再整列(ｒｅｏｒｄｅｒｉｎｇ)の再配置(ｒｅｌｏｃａｔｉｏｎ)などの既存の機能性及びＲＬＣ非順次伝達(ｏｕｔ ｏｆ ｏｒｄｅｒ ｄｅｌｉｖｅｒｙ)を最適化することによる遅延減少を目標とする。また、サービスデータ適応(ａｄａｐｔａｔｉｏｎ)プロトコル(ＳＤＡＰ)と呼ばれる新しいユーザ平面接続層(ａｃｃｅｓｓ ｓｔｒａｔｕｍ、ＡＳ)プロトコル階層が、ＱｏＳフロー及びデータ無線ベアラの間のマッピングなどのＲＡＮにおけるフロー基盤のＱｏＳフレームワーク、及びＱｏＳフローＩＤマーキングのハンドリングのために導入される。以下、ＮＲに対する現在の協約(ａｇｒｅｅｍｅｎｔｓ)による階層２について簡略に論議する。
【００８５】
ＮＲの階層２は以下のサブ階層、即ち媒体接続制御(ＭＡＣ)、無線リンク制御(ＲＬＣ)、パケットデータ収斂プロトコル(ＰＤＣＰ)及びサービスデータが少ないプロトコル(ＳＤＡＰ)に分離される(ｓｐｌｉｔ)。物理階層はＭＡＣサブ階層に送信チャネルを提供し、ＭＡＣサブ階層はＲＬＣサブ階層に論理チャネルを提供し、ＲＬＣサブ階層はＰＤＣＰサブ階層にＲＬＣチャネルを提供し、ＰＤＣＰサブ階層はＳＤＡＰサブ階層に無線ベアラを提供し、ＳＤＡＰサブ階層は５ＧＣにＯｏＳフローを提供する。無線ベアラは２つのグループ、即ち、ユーザ平面データに対するデータ無線ベアラ(ＤＲＢ)及び制御平面データに対するシグナリング無線ベアラ(ＳＲＢ)に分類される。
【００８６】
ＮＲのＭＡＣサブ階層の主要サービス及び機能は、論理チャネル及び輸送(ｔｒａｎｓｐｏｒｔ)チャネルの間のマッピング；輸送チャネル上で物理階層に/から伝達された輸送ブロック(ｔｒａｎｓｐｏｒｔ ｂｌｏｃｋ、ＴＢ)に/から１つ又は異なる論理チャネルに属するＭＡＣ ＳＤＵの多重化／逆多重化；スケジューリング情報報告；ＨＡＲＱによるエラー訂正(搬送波集成(ｃａｒｒｉｅｒ ａｇｇｒｅｇａｔｉｏｎ)の場合、搬送波当たり１つのＨＡＲＱエンティティー)；動的スケジューリングによるＵＥ間の優先順位(ｐｒｉｏｒｉｔｙ)ハンドリング；論理チャネル優先化(ｌｏｇｉｃａｌ ｃｈａｎｎｅｌ ｐｒｉｏｒｉｔｉｚａｔｉｏｎ)により１つのＵＥの論理チャネル間の優先順位ハンドリング；及びパディングを含む。単一のＭＡＣエンティティーは１つ又は多数のニューマロロジー(ｎｕｍｅｒｏｌｏｇｉｅｓ)及び/又は送信タイミングを支援でき、論理チャネル優先化におけるマッピング制限(ｒｅｓｔｒｉｃｔｉｏｎ)は論理チャネルがどのニューマロロジー及び/又は送信タイミングを使用できるかを制御することができる。
【００８７】
ＮＲのＲＬＣサブ階層は３つの送信モード、即ちＴＭ(Ｔｒａｎｓｐａｒｅｎｔ Ｍｏｄｅ)；ＵＭ(Ｕｎａｃｋｎｏｗｌｅｄｇｅｄ Ｍｏｄｅ)；ＡＭ(Ａｃｋｎｏｗｌｅｄｇｅｄ Ｍｏｄｅ)を支援する。ＲＬＣ設定(ｃｏｎｆｉｇｕｒａｔｉｏｎ)は、ニューマロロジー及び/又はＴＴＩ持続期間(ｄｕｒａｔｉｏｎ)に依存しない論理チャネルごとに行われ、ＡＲＱは論理チャネルについて設定されるニューマロロジー及び/又はＴＴＩ持続期間のうち任意のニューマロロジー及び/又はＴＴＩ持続期間に動作できる。ＴＭモードがＳＲＢ０、ページング及びブロードキャストシステム情報に使用される。ＡＭモードが他のＳＲＢに使用される。ＵＭ又はＡＭモードがＤＲＢに使用される。 ＲＬＣサブ階層の主要サービス及び機能は送信モードに依存し、上位階層ＰＤＵの送信；ＰＤＣＰにおけるシーケンス番号付けと独立的なシーケンス番号付け(ＵＭ及びＡＭ)；ＡＲＱによるエラー訂正(ＡＭのみ)；分割(ＡＭ及びＵＭ)及びＲＬＣ ＳＤＵの再分割(ＡＭのみ)；ＳＤＵのリアセンブリ(ＡＭ及びＵＭ)；重複検出(ＡＭのみ)；ＲＬＣ ＳＤＵの廃棄(ＡＭ及びＵＭ)；ＲＬＣ再設定；及びプロトコルエラー検出(ＡＭのみ)を含む。ＮＲのＲＬＣサブ階層内のＡＲＱは以下の特性を有する:ＲＬＣ状態報告に基づいてＡＲＱがＲＬＣ ＰＤＵ又はＲＬＣ ＰＤＵセグメントを再送信する；ＲＬＣにより必要時にＲＬＣ状態報告に対するポーリング(ｐｏｌｌｉｎｇ)が使用される；及びＲＬＣ受信器は紛失した(ｍｉｓｓｉｎｇ)ＲＬＣ ＰＤＵ又はＲＬＣ ＰＤＵセグメントを検出した後、ＲＬＣ状態報告をトリガーすることができる。
【００８８】
ユーザ平面に対するＮＲのＰＤＣＰサブ階層の主要サービス及び機能は、シーケンス番号付け；ヘッダ圧縮及び圧縮解除(ＲＯＣＨのみ)；ユーザデータの送信；再整列及び重複検出；(スプリットベアラの場合)ＰＤＣＰ ＰＤＵルーティング；ＰＤＣＰ ＳＤＵの再送信；暗号化、暗号解読及び無欠性保護；ＰＤＣＰ ＳＤＵの廃棄；ＲＬＣ ＡＭに対するＰＤＣＰ再設定及びデータ復旧；及びＰＤＣＰ ＰＤＵの複製(ｄｕｐｌｉｃａｔｉｏｎ)を含む。制御平面に対するＮＲのＰＤＣＰサブ階層の主要サービス及び機能は、シーケンス番号付け；暗号化、暗号解読及び無欠性保護；制御平面データの送信；再整列及び重複検出及びＰＤＣＰ ＰＤＵの複製を含む。
【００８９】
ＳＤＡＰの主要サービス及び機能は、ＱｏＳフロー及びデータ無線ベアラの間のマッピング、ＤＬパケット及びＵＬパケットの両方におけるＱｏＳフローＩＤ(ＱＦＩ)のマーキングを含む。ＳＤＡＰの単一プロトコルエンティティーは各々の個別(ｉｎｄｉｖｉｄｕａｌ)ＰＤＵセクションのために設定される。ベアラ基盤のＬＴＥのＱｏＳフレームワークに比較して、５ＧシステムはＱｏＳフロー基盤のフレームワークを採択する。ＱｏＳフロー基盤のフレームワークは、ＱｏＳフロー及び無線ベアラを分離することによりＤＲＢへのＱｏＳフローの柔軟なマッピングを可能にして、より柔軟なＱｏＳ特性(ｃｈａｒａｃｔｅｒｉｓｔｉｃ)の設定を許容する。
【００９０】
図７はＮＲシステムにおいて送信装置におけるデータ流れの一例を示す図である。
【００９１】
図７において、ＲＢは無線ベアラを示す。図７を参照すると、輸送ブロックはＲＢｘからの２つのＲＬＣ ＰＤＵ及びＲＢｙからの１つのＲＬＣ ＰＤＵを連接することによりＭＡＣにより生成される。図７において、ＲＢｘからの２つのＲＬＣ ＰＤＵの各々は１つのＩＰパケット(ｎ及びｎ＋１)に対応する反面、ＲＢｙからの１つのＲＬＣ ＰＤＵはＩＰパケット(ｍ)のセグメントである。ＮＲにおいて、ＲＬＣ ＳＤＵセグメントはＭＡＣ ＰＤＵの開始部分及び/又はＭＡＣ ＰＤＵの終了部分に位置することができる。
【００９２】
ＮＲにおいて、分割(ｓｅｇｍｅｎｔａｔｉｏｎ)はＲＬＣ−ＡＭ及びＲＬＣ−ＵＭに対していつも可能である。ＵＭ及びＡＭに対するＲＬＣ ＳＤＵはただ１つのＲＬＣ ＳＮに連関、即ちＲＬＣ ＳＤＵからのバイトセグメントは同一のＲＬＣ ＳＮに連関することができる。
【００９３】
図６を参照して説明したように、ＬＴＥにおいて、ＭＡＣ階層からＲＬＣサイズが与えられると、ＲＬＣエンティティーは１つ以上のＲＬＣ ＳＤＵ又はＲＬＣ ＳＤＵセグメントを含めることによりＲＬＣデータＰＤＵを構成する。よって、上位階層(即ち、ＰＤＣＰ)から特定のＲＬＣ ＳＤＵを廃棄するように指示された時、ＲＬＣ ＳＤＵがＲＬＣデータＰＤＵに既に含まれていると、ＲＬＣエンティティーがＲＬＣ ＳＤＵを廃棄することが難しい。ＬＴＥではＭＡＣからＲＬＣ ＰＤＵサイズが与えられた時にＲＬＣ ＳＤＵを含むＲＬＣ ＰＤＵが生成され、生成されたＲＬＣ ＰＤＵはすぐＭＡＣ階層に提出されるためである。このため、ＬＴＥにおいて、ＲＬＣ ＳＤＵのいかなるセグメントもＲＬＣデータＰＤＵにまだ含まれていない場合にのみＲＬＣエンティティーはＲＬＣ ＳＤＵを廃棄する。ＲＬＣ ＳＤＵ又はＲＬＣ ＳＤＵの任意のセグメントがＲＬＣデータＰＤＵに既にマッピングされていると、ＲＬＣエンティティーはＲＬＣ ＳＤＵを廃棄せず、その送信を維持する。ＲＬＣ ＳＤＵの廃棄タイマー(ｄｉｓｃａｒｄＴｉｍｅｒ)が既に満了した場合は、(結局、受信側で廃棄されてしまうので)ＲＬＣ ＳＤＵの送信が無駄であるが、ＲＬＣデータＰＤＵの再構成(ｒｅｃｏｎｓｔｒｕｃｔｉｏｎ)の複雑性のため、ＬＴＥではかかる行為が採択されている。
【００９４】
しかし、ＮＲにおいて、ＲＬＣエンティティーはＭＡＣ階層からのＲＬＣサイズの指示がなくてもＲＬＣデータＰＤＵを構成することが許容される。即ち、ＲＬＣデータＰＤＵの事前構成(ｐｒｅ−ｃｏｎｓｔｒｕｃｔｉｏｎ)がＮＲで許容される。どのくらい多いＲＬＣデータＰＤＵが事前構成されるかはＵＥの具現による。かかる状況において、ＬＴＥ廃棄規則がそのままＮＲに適用される場合、ＲＬＣエンティティーが多いＲＬＣデータＰＤＵを予め構成すると、無線リソースの莫大な浪費は発生することができる。よって、ＲＬＣ ＳＤＵがＲＬＣデータＰＤＵに既にマッピングされていても(即ち、ＲＬＣデータＰＤＵに既に含まれていても)ＲＬＣエンティティーがＲＬＣ ＳＤＵを廃棄できるようにＲＬＣ廃棄規則を変更する必要がある。
【００９５】
本発明において、送信ＲＬＣエンティティーが上位階層(即ち、ＰＤＣＰ)からＲＬＣ ＳＤＵを廃棄するという廃棄指示を受けた場合、送信ＲＬＣエンティティーはＲＬＣ ＳＤＵのいかなるセグメントも下位階層(即ち、ＭＡＣ)に提出されていない場合にのみＲＬＣ ＳＤＵを廃棄する。即ち、ＰＤＣＰエンティティーから特定のＲＬＣ ＳＤＵを廃棄するように指示された場合、ＲＬＣ ＳＤＵもＲＬＣ ＳＤＵのセグメントもＭＡＣエンティティーに提出されていないと、送信ＲＬＣエンティティーは指示されたＲＬＣ ＳＤＵを廃棄する。
【００９６】
本発明において、送信ＲＬＣエンティティーはＡＭ ＲＬＣエンティティーの送信側、又は送信ＵＭ ＲＬＣエンティティー、又は送信ＴＭ ＲＬＣエンティティーであることができる。
【００９７】
送信ＲＬＣエンティティーがＲＬＣ ＳＤＵを廃棄するという指示を上位階層(即ち、ＰＤＣＰ)から受けると、本発明の送信ＲＬＣエンティティーは指示されたＲＬＣ ＳＤＵが下位階層に提出されたか否かをチェックする。指示されたＲＬＣ ＳＤＵ又は指示されたＲＬＣ ＳＤＵのいかなるセグメントも下位階層(例えば、ＭＡＣ)に提出されていないと、ＲＬＣデータＰＤＵに含まれた指示されたＲＬＣ ＳＤＵのセグメントが存在する場合にも、送信ＲＬＣエンティティーは指示されたＲＬＣ ＳＤＵを廃棄する。即ち、指示されたＲＬＣ ＳＤＵ又は指示されたＲＬＣ ＳＤＵのいかなるセグメントも下位階層に提出されていないと、指示されたＲＬＣ ＳＤＵのセグメントがＲＬＣデータＰＤＵにマッピングされた場合にも(即ち、指示されたＲＬＣ ＳＤＵのセグメントがＲＬＣデータＰＤＵに含まれた場合にも)、送信ＲＬＣエンティティーは指示されたＲＬＣ ＳＤＵを廃棄する。指示されたＲＬＣ ＳＤＵ又は指示されたＲＬＣ ＳＤＵの任意のセグメントが下位階層に提出された場合は、送信ＲＬＣエンティティーは指示されたＲＬＣ ＳＤＵを廃棄せず、指示されたＲＬＣ ＳＤＵの送信を維持する。ここで、指示されたＲＬＣ ＳＤＵの送信を維持するとは、以下のような意味である:
【００９８】
−ＴＭ及びＵＭ ＲＬＣの場合、ＲＬＣエンティティーは指示されたＲＬＣ ＳＤＵ又は指示されたＲＬＣ ＳＤＵの全ての(残りの)セグメントを下位階層に提出；及び/又は
【００９９】
−ＡＭ ＲＬＣの場合、ＲＬＣエンティティーは指示されたＲＬＣ ＳＤＵがピアＲＬＣエンティティーにより成功裏に受信されるまで指示されたＲＬＣ ＳＤＵの再送信を行う。
【０１００】
送信ＲＬＣエンティティーがＲＬＣ ＳＤＵを廃棄する時、ＳＮギャップが生じると、該当受信ＲＬＣエンティティーはＳＮギャップに該当するＳＮを有するＲＬＣ ＳＤＵが紛失されたと判断ミスすることができる。特に、ＡＭ ＲＬＣエンティティーの受信側はＳＮギャップに基づいて既に廃棄されたＲＬＣ ＳＤＵの再送信を要請することになる。これを防止するために、本発明では以下のように提案する。送信ＲＬＣエンティティーが指示されたＲＬＣ ＳＤＵを廃棄すると、送信ＲＬＣエンティティーは、ＲＬＣ ＳＮを以下のＲＬＣ ＳＤＵ(即ち、廃棄されたＲＬＣ ＳＤＵの後続ＲＬＣ ＳＤＵ)に再割り当てして、下位階層(例えば、ＭＡＣ)に提出されたＲＬＣ ＳＤＵにＳＮギャップがないようにする。
【０１０１】
図８は送信ＲＬＣエンティティーがＰＤＣＰから廃棄指示を受信した場合、送信側で発生する動作の一例を示す図である。図８において、"ＰＮ"はＰＤＣＰ ＳＮを示し、"ＲＮ"はＲＬＣ  ＳＮを示す。
【０１０２】
図８において、ＰＤＣＰエンティティーはＰＮの(昇順)順に該当ＰＤＣＰ ＰＤＵをＲＬＣエンティティーに提出する。ＲＬＣエンティティーは(ＰＮ１〜ＰＮ７のＰＤＣＰ ＰＤＵに対応する)ＲＬＣ ＳＤＵをＲＮに各々連関させる。図８に示した例において、ＰＮは同一の番号順にＲＮに連関される。即ち、ＰＮ１はＲＮ１に連関され、ＰＮ２はＲＮ２に連関される。送信ＲＬＣエンティティーがＲＮ１乃至ＲＮ７に連関されたＲＬＣ ＳＤＵを受信し、送信ＲＬＣエンティティーがＰＤＣＰからＰＮ１乃至ＰＮ４を廃棄するという廃棄指示を受けると、送信ＲＬＣエンティティーは:
【０１０３】
＞ＲＮ１に対するＲＬＣ ＳＤＵを含むＲＬＣデータＰＤＵを廃棄しない。これは、下位階層に既に提出されたためである；
【０１０４】
＞ＲＮ２に対するＲＬＣ ＳＤＵを含むＲＬＣデータＰＤＵを廃棄しない。これは、ＲＮ２に対するＲＬＣ ＳＤＵのセグメントを含むＲＬＣデータＰＤＵが既に下位階層に提出されたためである；
【０１０５】
＞ＲＮ３に対するＲＬＣ ＳＤＵを含むＲＬＣデータＰＤＵを廃棄する。これは、ＲＮ３に対するＲＬＣ ＳＤＵが既にＲＬＣデータＰＤＵにマッピング又はそれに含まれていても、下位階層にまだ提出されていないためである；
【０１０６】
＞ＲＮ４に対するＲＬＣ ＳＤＵを廃棄する。これは、下位階層にまだ提出されていないためである。
【０１０７】
図９はＰＤＣＰからの廃棄指示がハンドリングされた後、送信側で発生する動作の一例を示す図である。図９において、"ＰＮ"はＰＤＣＰ ＳＮを示し、"ＲＮ"はＲＬＣ ＳＮを示す。
【０１０８】
図９において、送信ＲＬＣエンティティーはＲＮ２に対するＲＬＣ ＳＤＵの残りのセグメントを含むＲＬＣデータＰＤＵの送信を維持する。送信ＲＬＣエンティティーは以下のＲＬＣ ＳＤＵをＲＮ５乃至ＲＮ７に再割り当てして下位階層(例えば、ＭＡＣ)に提出されたＲＬＣ ＳＤＵにＳＮギャップがないようにする。即ち、送信ＲＬＣエンティティーは廃棄されたＲＬＣ ＳＤＵのＲＬＣＳＮのうち、最下位のＲＬＣ ＳＮから連続して残りのＲＬＣ ＳＤＵをＲＬＣ ＳＮと再連関させる。図８を参照すると、ＲＮ４を有するＲＬＣ ＳＤＵ及びＲＮ３を有するＲＬＣ ＳＤＵが廃棄されたので、ＲＬＣエンティティーから下位階層に提出されないものの、ＲＬＣエンティティーで廃棄されたＲＬＣ ＳＤＵのＲＮのうち、最下位のＲＮはＲＮ３である。ＲＬＣエンティティーはＲＬＣエンティティーにおいて最後に廃棄されたＲＬＣ ＳＤＵの後続ＲＬＣ ＳＤＵをＲＮ３から連続してＲＮと再連関させる。従って、図９を参照すると、ＲＮ３はＰＮ５に再連関され、ＲＮ４はＰＮ６に再連関され；ＲＮ５はＰＮ７に再連関される。
【０１０９】
図１０は、本発明を実行する送信装置１００及び受信装置２００の構成要素を示すブロック図である。
【０１１０】
送信装置１００及び受信装置２００は、情報及び／又はデータ、信号、メッセージなどを搬送する無線信号を送信又は受信できる無線周波数(ｒａｄｉｏ ｆｒｅｑｕｅｎｃｙ、ＲＦ)１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された(ｃｏｎｆｉｇｕｒｅｄ)プロセッサ１１，２１とをそれぞれ備える。
【０１１１】
メモリ１２，２２は、プロセッサ１１，２１の処理及び制御のためのプログラムを格納することができ、入／出力される情報を臨時記憶することができる。メモリ１２，２２をバッファーとして活用することができる。各プロトコル階層(例えば、ＰＤＣＰ、ＲＬＣ、ＭＡＣ)におけるバッファーはメモリ１２，２２の一部である。
【０１１２】
プロセッサ１１，２１は、通常、送信装置又は受信装置内の各種モジュールの全般的な動作を制御する。特に、プロセッサ１１，２１は、本発明を実行するための各種の制御機能を実行することができる。例えば、本発明によるプロトコルスタック(例えば、ＰＤＣＰ、ＲＬＣ、ＭＡＣ及びＰＨＹ階層)における動作はプロセッサ１１，２１により行われる。本発明の動作を行うプロトコルスタックはプロセッサ１１，２１の一部である。
【０１１３】
プロセッサ１１，２１は、コントローラ(ｃｏｎｔｒｏｌｌｅｒ)、マイクロコントローラ(ｍｉｃｒｏｃｏｎｔｒｏｌｌｅｒ)、マイクロプロセッサ(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサ１１，２１は、ハードウェア(ｈａｒｄｗａｒｅ)、ファームウェア(ｆｉｒｍｗａｒｅ)、ソフトウェア、又はそれらの結合によって具現することができる。ハードウェアを用いて本発明を具現する場合には、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などをプロセッサ１１，２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１１４】
送信装置１００のプロセッサ１１は、プロセッサ１１又はプロセッサ１１と接続されたスケジューラからスケジュールされて外部に送信される信号及び／又はデータに対して所定のコーディング(ｃｏｄｉｎｇ)及び変調(ｍｏｄｕｌａｔｉｏｎ)を行った後にＲＦユニット１３に送信する。例えば、プロセッサ１１は、送信しようとするデータ列を逆多重化及びチャネルコーディング、スクランブリング、変調過程などを経てK個のレイヤに変換する。コーディングされたデータ列はコードワードとも呼ばれ、ＭＡＣ層の提供するデータブロックである輸送ブロックと等価である。１つの輸送ブロック(ｔｒａｎｓｐｏｒｔ ｂｌｏｃｋ、ＴＢ)は１つのコードワードにコーディングされ、各コードワードは、１つ以上のレイヤの形態で受信装置に送信される。周波数アップコンバートのためにＲＦユニット１３はオシレーター(ｏｓｃｉｌｌａｔｏｒ)を備えることができる。ＲＦユニット１３は、Ｎｔ個(Ｎｔは１以上の正の整数)の送信アンテナを有することができる。
【０１１５】
受信装置２００の信号処理過程は、送信装置１００の信号処理過程の逆に構成される。プロセッサ２１の制御下に、受信装置２００のＲＦユニット２３は送信装置１００によって送信された無線信号を受信する。ＲＦユニット２３はＮｒ個の受信アンテナを有することができ、ＲＦユニット２３は、受信アンテナで受信した信号のそれぞれを周波数ダウンコンバート(ｆｒｅｑｕｅｎｃｙ  ｄｏｗｎ−ｃｏｎｖｅｒｔ)して基底帯域信号に復元する。ＲＦユニット２３は、周波数ダウンコンバートのためにオシレーターを備えることができる。プロセッサ２１は、受信アンテナで受信した無線信号に対する復号(ｄｅｃｏｄｉｎｇ)及び復調(ｄｅｍｏｄｕｌａｔｉｏｎ)を行い、送信装置１００が本来送信しようとしたデータを復元することができる。
【０１１６】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素(ｅｌｅｍｅｎｔ)の組合せによって構成されてもよい。各アンテナから送信された信号は、受信装置２００でそれ以上分解することができない。該当アンテナに対応して送信された参照信号(ｒｅｆｅｒｅｎｃｅ ｓｉｇｎａｌ、ＲＳ)は、受信装置２００の観点で見たアンテナを定義し、チャネルが１つの物理アンテナからの単一(ｓｉｎｇｌｅ)無線チャネルか或いは上記アンテナを含む複数の物理アンテナ要素(ｅｌｅｍｅｎｔ)からの合成(ｃｏｍｐｏｓｉｔｅ)チャネルかに関係なく、上記受信装置２００にとって上記アンテナに対するチャネル推定を可能にする。即ち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援するＲＦユニットの場合は、２個以上のアンテナと接続することができる。ＲＦユニット１３，２３はトランシーバとも呼ばれる。
【０１１７】
本発明の実施例において、ＵＥは、上りリンクでは送信装置１００として動作し、下りリンクでは受信装置２００として動作する。本発明の実施例において、ＢＳは上りリンクでは受信装置２００として動作し、下りリンクでは送信装置１００として動作する。以下、ＵＥに具備されたプロセッサ、トランシーバ及びメモリを、ＵＥプロセッサ、ＵＥトランシーバ及びＵＥメモリとそれぞれ称し、ＢＳに具備されたプロセッサ、ＲＦユニット及びメモリを、ＢＳプロセッサ、ＢＳトランシーバ及びＢＳメモリとそれぞれ称する。
【０１１８】
ＵＥプロセッサは、本発明により動作するように構成されるか、又は本発明によりＵＥトランシーバが信号を受信又は送信するように制御する。ＢＳプロセッサは、本発明により動作するように構成されるか、又は本発明によりＢＳトランシーバが信号を受信又は送信するように制御する。
【０１１９】
プロセッサ１１は送信装置１００の上位階層(例えば、ＰＤＣＰエンティティー)から送信装置１００の無線リンク制御(ＲＬＣ)エンティティーが第１ＲＬＣサービスデータユニット(ＳＤＵ)を受信するように構成される。ＲＬＣエンティティーにおいて、第１ＲＬＣ ＳＤＵを廃棄するという廃棄指示があると、プロセッサ１１は第１ＲＬＣ ＳＤＵがＲＬＣエンティティーから下位階層(例えば、ＭＡＣエンティティー)に提出されたか否かを確認する。プロセッサ１１は、第１ＲＬＣ ＳＤＵも第１ＲＬＣ ＳＤＵのどのセグメントも下位階層に提出されていないと、ＲＬＣエンティティーで第１ＲＬＣ ＳＤＵを廃棄するように構成される。本発明において、プロセッサ１１は、第１ＲＬＣ ＳＤＵも１ＲＬＣ ＳＤＵのどのようなセグメントも下位階層に提出されていないと、第１ＲＬＣ ＳＤＵ又は第１ＲＬＣ ＳＤＵのセグメントがＲＬＣプロトコルデータユニット(ＰＤＵ)に含まれても、第１ＲＬＣ ＳＤＵを廃棄するように構成される。即ち、プロセッサ１１は、第１ＲＬＣ ＳＤＵも第１ＲＬＣ ＳＤＵのどのようなセグメントも下位階層に提出されていないと、第１ＲＬＣ ＳＤＵ又は第１ＲＬＣ ＳＤＵを含むＲＬＣ ＰＤＵを廃棄又はフラッシュ(ｆｌｕｓｈ)するようにＲＬＣエンティティーのＲＬＣバッファーを制御する。プロセッサ１１は、第１ＲＬＣ ＳＤＵ又は第１ＲＬＣ ＳＤＵのセグメントが下位階層に提出された場合は、第１ＲＬＣ ＳＤＵを廃棄しないように構成される。即ち、プロセッサ１１は、第１ＲＬＣ ＳＤＵ又は第１ＲＬＣ ＳＤＵのセグメントが下位階層に提出された場合は、第１ＲＬＣ ＳＤＵ(又はＲＬＣ ＰＤＵが構成されていると、第１ＲＬＣ ＳＤＵを含むＲＬＣ ＰＤＵ)を廃棄又はフラッシュするようにＲＬＣエンティティーのＲＬＣバッファーを制御しない。プロセッサ１１はＲＬＣエンティティーに第１ＲＬＣ ＳＤＵの残りのセグメントが存在すると、第１ＲＬＣ ＳＤＵの残りのセグメントを下位階層に提出するように構成できる。プロセッサ１１は第１ＲＬＣ ＳＤＵ又は第１ＲＬＣ ＳＤＵのセグメントを含む下位階層データユニットをＰＨＹ階層により送信するようにトランシーバを制御するように構成される。下位階層データユニットはＭＡＣ ＰＤＵであることができる。プロセッサ１１は、廃棄されたＲＬＳ ＳＤＵの後続ＲＬＣ ＳＤＵにＲＬＣＳＮを再割り当てして下位階層に提出されるＲＬＣ ＳＤＵにＳＮギャップがないように構成できる。例えば、プロセッサ１１は、廃棄されたＲＬＣ ＳＤＵのＲＬＣＳＮのうち、最下位のＲＬＣ ＳＮから始まって、残りのＲＬＣ ＳＤＵをＲＬＣシーケンス番号(ＳＮ)と連続して(ｃｏｎｓｅｃｕｔｉｖｅｌｙ)再連関させるように構成できる。
【０１２０】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。従って、本発明は、ここに開示された実施の形態に制限しようとするものではなく、ここに開示された原理及び新規な特徴と一致する最も広い範囲を与えようとするものである。
【産業上の利用可能性】
【０１２１】
本発明の実施例は、無線通信システムにおいて、ネットワークノード(例えば、ＢＳ)又はユーザ機器、その他の装備に用いることができる。
【図１】
0006834027.tif 000002
【図２】
0006834027.tif 000003
【図３】
0006834027.tif 000004
【図４（ａ）】
0006834027.tif 000005
【図４（ｂ）】
0006834027.tif 000006
【図５】
0006834027.tif 000007
【図６】
0006834027.tif 000008
【図７】
0006834027.tif 000009
【図８】
0006834027.tif 000010
【図９】
0006834027.tif 000011
【図１０】
0006834027.tif 000012